(57)【要約】【課題】用紙に描いた下絵に対して直接的に手を加えるような修正等をすることができる手書き情報処理装置を提供する。【解決手段】スタイラス検出センサと、スタイラスの筆記操作に対応した画像を表示する表示画面を備える外部装置に出力するための接続インターフェースと、表示画像に対して、操作入力受付部で受け付けられた操作入力に基づいた所定の画像操作処理を施すための表示画像処理用情報を生成する表示画像処理用情報生成回路とを備える。入力面は、スタイラスの筆記操作に対応した筆記を視覚的に形成可能なシート部材が載置可能に構成されている。通常のスタイラスの他に、シート部材において視覚的に筆記跡を形成可能であるインクスタイラスが利用可能である。通常のスタイラス用の第１のモードと、インクスタイラスによる筆記情報をメモリに保持する第２のモードを備える。【選択図】図１
2018106683.tif 000002
【特許請求の範囲】
【請求項１】
入力面でのスタイラスの筆記操作を検出するスタイラス検出センサと、前記スタイラス検出センサとのインタラクションで検出されたスタイラスの筆記操作に対応した筆記情報を、表示画面を備える外部装置に出力する接続インターフェースと、使用者による操作入力を受け付ける操作入力受付部と、前記表示画面で前記筆記情報を表示する際に適用される表示画像処理用情報を、前記操作入力受付部で受け付けられた前記操作入力に対応して生成する表示画像処理用情報生成回路と、メモリとを備え、前記入力面にはスタイラスの筆記操作に対応した筆記を視覚的に形成可能なシート部材が載置可能に構成されている手書き情報処理装置であって、
前記入力面での筆記操作が前記スタイラス検出センサとのインタラクションで検出される第１のスタイラスと、前記入力面での前記筆記操作が前記スタイラス検出センサとのインタラクションで検出されるとともに前記第１のスタイラスとは異なり前記入力面での筆記操作に対応した筆記が前記シート部材に視覚的に形成可能な第２のスタイラスが利用可能であり、
前記入力面での筆記操作が、前記第１のスタイラスによる筆記操作であるか、前記第２のスタイラスによる筆記操作であるかを認識するためのスタイラス認識回路を備え、
前記スタイラス認識回路によって、前記入力面での前記第１のスタイラスによる筆記操作が認識された場合に、前記スタイラス検出センサとのインタラクションによって検出された前記第１のスタイラスの前記入力面での筆記操作に対応した筆記情報と、前記表示画像処理用情報生成回路で生成された前記表示画像処理用情報とを、前記接続インターフェースを通じて前記外部装置に出力可能に構成された第１のモードと、
前記スタイラス識別回路によって、前記入力面での前記第２のスタイラスによる筆記操作が認識された場合に、前記スタイラス検出センサとのインタラクションによって検出された前記第２のスタイラスの前記入力面での筆記操作に対応した筆記情報を前記メモリに保持するとともに、前記表示画像処理用情報生成回路で生成された前記表示画像処理用情報の前記メモリに保持された筆記情報に対する適用を制限するように構成された第２のモードと
を備えていることを特徴とする手書き情報処理装置。
【請求項２】
前記第１のモードにおいて、前記第２のモードにて前記メモリに保持された筆記情報が存在するときには、前記メモリに保持された前記筆記情報を、前記接続インターフェースを介して外部装置に出力する機能を備える
ことを特徴とする請求項１に記載の手書き情報処理装置。
【請求項３】
前記スタイラス認識回路によって、前記入力面での前記第２のスタイラスによる筆記操作が認識された場合に、前記スタイラス検出センサとのインタラクションによって検出された前記第２のスタイラスの前記入力面での筆記操作に対応した筆記情報は、前記メモリに保持せずに外部の記憶部に出力すると共に前記表示画像処理用情報の前記外部の記憶部への出力を制限する第３のモードを備えることを特徴とする請求項１に記載の手書き情報処理装置。
【請求項４】
前記第１のモードにおいて、前記第３のモードで前記外部の記憶部に記憶されている筆記情報が存在するときには、前記外部の記憶部に記憶されている前記筆記情報を取得して、前記接続インターフェースを介して前記外部装置に出力する機能を備える
ことを特徴とする請求項３に記載の手書き情報処理装置。
【請求項５】
前記外部の記憶部とは、無線接続されることを特徴とする請求項３または請求項４に記載の手書き情報処理装置。
【請求項６】
前記操作入力受付部は、前記使用者の指タッチ操作を検出するタッチ検出センサを含んで構成されていることを特徴とする請求項１に記載の手書き情報処理装置。
【請求項７】
前記第２のモードにおいては、前記表示画像に対する画像操作のための前記操作入力受付部による所定の操作入力を検出不能とすることを特徴とする請求項１に記載の手書き情報処理装置。
【請求項８】
前記接続インターフェースは、前記外部装置と無線接続されるように構成されていることを特徴とする請求項１に記載の手書き情報処理装置。
【請求項９】
前記第１のスタイラス及び前記第２のスタイラスの内の、少なくとも一方のスタイラスはスタイラス識別情報を送出する機能を備えており、前記スタイラス認識回路は、前記少なくとも一方のスタイラスからの前記スタイラス識別情報を認識することで、前記第１のスタイラスによる筆記操作か、前記第２のスタイラスによる筆記操作かを認識するように構成されていることを特徴とする請求項１に記載の手書き情報処理装置。
【請求項１０】
前記第１のスタイラス及び前記第２のスタイラスは、それぞれ固有のスタイラス識別情報を送出する機能を備えており、前記スタイラス認識回路は、前記第１のスタイラスの前記スタイラス識別情報を認識したか、前記第２のスタイラスの前記スタイラス識別情報を認識したかにより、前記第１のスタイラスによる筆記操作か、前記第２のスタイラスによる筆記操作かを認識するように構成されていることを特徴とする請求項９に記載の手書き情報処理装置。
【請求項１１】
前記メモリに保持された、前記第２のスタイラスの前記入力面での筆記操作に対応した筆記情報は複数のストローク情報から構成されており、前記ストローク情報には筆記順序を特定する情報が付加されていることを特徴とする請求項１に記載の手書き情報処理装置。
【請求項１２】
前記操作入力受付部で受け付けられた前記操作入力に基づいた所定の処理は、前記表示画像に対する、拡大、縮小、回転、移動の中の少なくとも１つの画像操作処理を含むことを特徴とする請求項１に記載の手書き情報処理装置。
【請求項１３】
前記タッチ検出センサは、前記入力面の領域と少なくとも部分的に重なるように配設されていることを特徴とする請求項６に記載の手書き情報処理装置。
【請求項１４】
前記タッチ検出センサは、前記入力面の領域とは異なる領域に配設されていることを特徴とする請求項６に記載の手書き情報処理装置。
【請求項１５】
前記第２のモードにおいて、前記スタイラス検出センサとのインタラクションによって検出された前記第２のスタイラスの前記入力面での筆記操作に対応した筆記情報には、前記操作入力受付部によって検出された、前記表示画像に対して所定の画像操作処理を施すための操作入力以外の操作入力に対応した所定の情報が付加されて前記メモリに保持されることを特徴とする請求項１に記載の手書き情報処理装置。
【請求項１６】
前記第１のスタイラスと前記スタイラス検出センサとの間のインタラクションは、電磁誘導あるいは静電結合であることを特徴とする請求項１に記載の手書き情報処理装置。
【請求項１７】
前記第２のスタイラスは、前記スタイラス認識回路によって認識可能なスタイラス識別情報を送出するとともに、前記入力面での筆記操作に対応した筆記を視覚的に形成可能な芯体を備えており、前記第２のスタイラスの前記スタイラス識別情報に基づいて前記第２のモードが設定されるとともに、前記第２のスタイラスの前記芯体により前記入力面に載置された前記シート部材への視覚的な筆記操作が行われることを特徴とする請求項１に記載の手書き情報処理装置。
【請求項１８】
前記入力面には、前記シート部材を位置決めする位置決め部材が配設されていることを特徴とする請求項１に記載の手書き情報処理装置。
【請求項１９】
前記位置決め部材は、前記手書き情報処理装置の板状端部に装着されるクリップ部材で構成され、
前記クリップ部材は、互いが対向するとともに連結部で連結された第１の面部と第２の面部を備え、前記板状端部に係合させる第１の部材と、前記第１の部材に取り付けられる第２の部材を備えており、
前記第１の部材の前記第１の面部であって、前記タブレットの操作面側が対向する面の側に対向する面の側には前記第２の部材が回動自在に取り付けられている
ことを特徴とする請求項１に記載の手書き情報処理装置。
【請求項２０】
入力面でのスタイラスの筆記操作を検出するスタイラス検出センサと、前記スタイラス検出センサとのインタラクションで検出されたスタイラスの筆記操作に対応した筆記情報を、表示画面を備える外部装置に出力する接続インターフェースと、使用者による操作入力を受け付ける操作入力受付部と、前記表示画面で前記筆記情報を表示する際に適用される表示画像処理用情報を、前記操作入力受付部で受け付けられた前記操作入力に対応して生成する表示画像処理用情報生成回路と、メモリとを備え、前記入力面にはスタイラスの筆記操作に対応した筆記を視覚的に形成可能なシート部材が載置可能に構成されている手書き情報処理装置における手書き情報処理方法であって、
前記入力面での筆記操作が前記スタイラス検出センサとのインタラクションで検出される第１のスタイラスであるか、前記入力面での前記筆記操作が前記スタイラス検出センサとのインタラクションで検出されるとともに前記第１のスタイラスとは異なり前記入力面での筆記操作に対応した筆記が前記シート部材に視覚的に形成可能な第２のスタイラスであるかを認識するスタイラス認識ステップと、
前記スタイラス認識ステップによって、前記入力面での前記第１のスタイラスによる筆記操作が認識された場合に、前記スタイラス検出センサとのインタラクションによって検出された前記第１のスタイラスの前記入力面での筆記操作に対応した筆記情報と、前記表示画像処理用情報生成回路で生成された前記表示画像処理用情報とを、前記接続インターフェースを通じて前記外部装置に出力可能に構成された第１の処理ステップと、
前記スタイラス識別ステップによって、前記入力面での前記第２のスタイラスによる筆記操作が認識された場合に、前記スタイラス検出センサとのインタラクションによって検出された前記第２のスタイラスの前記入力面での筆記操作に対応した筆記情報を前記メモリに保持するとともに、前記表示画像処理用情報生成回路で生成された前記表示画像処理用情報の前記メモリに保持された筆記情報に対する適用を制限するように構成された第２の処理ステップと
を備えていることを特徴とする手書き情報処理方法。
【請求項２１】
入力面でのスタイラスの筆記操作を検出するスタイラス検出センサと、前記スタイラス検出センサとのインタラクションで検出されたスタイラスの筆記操作に対応した筆記情報を、表示画面を備える外部装置に出力する接続インターフェースと、使用者による操作入力を受け付ける操作入力受付部と、前記表示画面で前記筆記情報を表示する際に適用される表示画像処理用情報を、前記操作入力受付部で受け付けられた前記操作入力に対応して生成する表示画像処理用情報生成回路と、メモリとを備え、前記入力面にはスタイラスの筆記操作に対応した筆記を視覚的に形成可能なシート部材が載置可能に構成されている手書き情報処理装置が備えるコンピュータに、
前記入力面での筆記操作が前記スタイラス検出センサとのインタラクションで検出される第１のスタイラスであるか、前記入力面での前記筆記操作が前記スタイラス検出センサとのインタラクションで検出されるとともに前記第１のスタイラスとは異なり前記入力面での筆記操作に対応した筆記が前記シート部材に視覚的に形成可能な第２のスタイラスであるかを認識するスタイラス認識の処理と、
前記スタイラス認識処理によって、前記入力面での前記第１のスタイラスによる筆記操作が認識された場合に、前記スタイラス検出センサとのインタラクションによって検出された前記第１のスタイラスの前記入力面での筆記操作に対応した筆記情報と、前記表示画像処理用情報生成回路で生成された前記表示画像処理用情報とを、前記接続インターフェースを通じて前記外部装置に出力可能に構成された第１の処理と、
前記スタイラス識別処理によって、前記入力面での前記第２のスタイラスによる筆記操作が認識された場合に、前記スタイラス検出センサとのインタラクションによって検出された前記第２のスタイラスの前記入力面での筆記操作に対応した筆記情報を前記メモリに保持するとともに、前記表示画像処理用情報生成回路で生成された前記表示画像処理用情報の前記メモリに保持された筆記情報に対する適用を制限するように構成された第２の処理と
を実行させるための手書き情報処理用プログラム。
【請求項２２】
入力面でのスタイラスの筆記操作を検出するスタイラス検出センサと、使用者による操作入力を受け付ける操作入力受付部と、前記スタイラス検出センサとのインタラクションで検出されたスタイラスの筆記操作に対応した筆記情報を表示画面に表示させるための画像表示処理を行うとともに前記操作入力受付部で受け付けられた前記操作入力に対応した表示画像操作を前記筆記情報の表示画像に適用する画像処理回路と、メモリとを備え、前記入力面にはスタイラスの筆記操作に対応した筆記を視覚的に形成可能なシート部材が載置可能に構成されている手書き情報処理装置であって、
前記入力面での筆記操作が前記スタイラス検出センサとのインタラクションで検出される第１のスタイラスと、前記入力面での前記筆記操作が前記スタイラス検出センサとのインタラクションで検出されるとともに前記第１のスタイラスとは異なり前記入力面での筆記操作に対応した筆記が前記シート部材に視覚的に形成可能な第２のスタイラスが利用可能であり、
前記入力面での筆記操作が、前記第１のスタイラスによる筆記操作であるか、前記第２のスタイラスによる筆記操作であるかを認識するためのスタイラス認識回路を備え、
前記スタイラス認識回路によって、前記入力面での前記第１のスタイラスによる筆記操作が認識された場合に、前記画像処理回路によって前記スタイラス検出センサとのインタラクションによって検出された前記第１のスタイラスの前記入力面での筆記操作に対応した筆記情報を表示画面に表示させるための画像表示処理を行うとともに前記操作入力受付部での前記操作入力に対応した表示画像操作を前記筆記情報の表示画像に適用する第１のモードと、
前記スタイラス識別回路によって、前記入力面での前記第２のスタイラスによる筆記操作が認識された場合に、前記スタイラス検出センサとのインタラクションによって検出された前記第２のスタイラスの前記入力面での筆記操作に対応した筆記情報を前記メモリに保持するとともに、前記操作入力受付部での前記操作入力の前記メモリに保持された筆記情報に対する適用を制限するように構成された第２のモードと
を備えていることを特徴とする手書き情報処理装置。
【請求項２３】
前記第１のモードにおいて、前記第２のモードにて前記メモリに保持された筆記情報が存在するときには、前記メモリに保持されている前記筆記情報を、前記画像処理回路に出力する機能を備える
ことを特徴とする請求項２２に記載の手書き情報処理装置。
【請求項２４】
前記操作入力受付部での前記操作入力に対応した前記表示画像操作とは、前記筆記情報の表示画像に対する、拡大、縮小、回転、移動の中の少なくとも１つの画像操作処理を含むことを特徴とする請求項２２に記載の手書き情報処理装置。
【発明の詳細な説明】
【技術分野】
【０００１】
この発明は、手書き情報処理装置、手書き情報処理方法及び手書き情報処理用プログラムに関する。
【背景技術】
【０００２】
例えばデジタイザやタブレット装置と呼ばれる手書き情報処理装置が知られている。この手書き情報処理装置は、例えば特許文献１（特許５１３７１５０号公報）に記載されているように、表示画面を備える情報処理装置、例えば表示装置に接続されて用いられる座標入力装置、あるいは表示装置を備えるコンピュータに接続されて用いられる座標入力装置である。
【０００３】
この手書き情報処理装置は、ペン形状の位置指示器（以下、スタイラスという）と共に用いられ、二次元位置情報を検出する位置検出平面（以下、入力面という）上で、スタイラスにより指示入力（筆記操作）がなされると、その筆記操作をスタイラス検出センサとのインタラクションで検出し、その位置座標を筆記情報として情報処理装置に供給する。情報処理装置は、手書き情報入力装置から受信した、指示体による指示入力に基づく位置座標（筆記情報）から、スタイラスによる手書き入力に対応した表示画像情報を生成し、その表示画像情報を表示装置の画面に表示する。
【０００４】
この種の手書き情報処理装置には、表示装置の画面に表示された、手書き入力により作成された画像を、移動させたり、回転させたり、拡大／縮小させたり、スクロールさせたり、あるいは、描画画像の表示色を変更したりするなどの種々の処理機能を備えるものがある。使用者は、これらの処理機能を駆使しながらスタイラスで筆記操作を行うことで、表示画面に表示されている表示画像で確認しながら、精細な絵やアニメーション画像などを描画するようにすることができる。
【先行技術文献】
【特許文献】
【０００５】
【特許文献１】特許５１３７１５０号公報
【発明の概要】
【発明が解決しようとする課題】
【０００６】
ところで、使用者は、この種の手書き情報処理装置を用いて画像の生成をする前に、予め用紙に下絵を描いて、それに基づいて、手書き情報処理装置を用いた画像の生成を実行することが多々ある。特に、戸外や外出先でのスケッチに基づいた絵を描こうとする場合には、下絵を作成することが通常的に行われている。
【０００７】
このような場合、従来は、用紙に描いた下絵をスキャナで取り込んで電子データとしても、その電子データは、手書き情報処理装置で取り扱う電子データとは異なるので、そのまま下絵に対して直接的に手を加えるような修正等をすることはできなかった。このため、使用者は、用紙に描かれている描画画像をスタイラスでなぞるなどの作業を行う必要があり、手書き情報処理作業に多大の工数がかかっていた。
【０００８】
この発明は、以上の問題点を解決することができるようにした手書き情報処理装置を提供することを目的とする。
【課題を解決するための手段】
【０００９】
上記の課題を解決するために、請求項１に記載の発明においては、入力面でのスタイラスの筆記操作を検出するスタイラス検出センサと、前記スタイラス検出センサとのインタラクションで検出されたスタイラスの筆記操作に対応した筆記情報を、表示画面を備える外部装置に出力する接続インターフェースと、使用者による操作入力を受け付ける操作入力受付部と、前記表示画面で前記筆記情報を表示する際に適用される表示画像処理用情報を、前記操作入力受付部で受け付けられた前記操作入力に対応して生成する表示画像処理用情報生成回路と、メモリとを備え、前記入力面にはスタイラスの筆記操作に対応した筆記を視覚的に形成可能なシート部材が載置可能に構成されている手書き情報処理装置であって、
前記入力面での筆記操作が前記スタイラス検出センサとのインタラクションで検出される第１のスタイラスと、前記入力面での前記筆記操作が前記スタイラス検出センサとのインタラクションで検出されるとともに前記第１のスタイラスとは異なり前記入力面での筆記操作に対応した筆記が前記シート部材に視覚的に形成可能な第２のスタイラスが利用可能であり、
前記入力面での筆記操作が、前記第１のスタイラスによる筆記操作であるか、前記第２のスタイラスによる筆記操作であるかを認識するためのスタイラス認識回路を備え、
前記スタイラス認識回路によって、前記入力面での前記第１のスタイラスによる筆記操作が認識された場合に、前記スタイラス検出センサとのインタラクションによって検出された前記第１のスタイラスの前記入力面での筆記操作に対応した筆記情報と、前記表示画像処理用情報生成回路で生成された前記表示画像処理用情報とを、前記接続インターフェースを通じて前記外部装置に出力可能に構成された第１のモードと、
前記スタイラス識別回路によって、前記入力面での前記第２のスタイラスによる筆記操作が認識された場合に、前記スタイラス検出センサとのインタラクションによって検出された前記第２のスタイラスの前記入力面での筆記操作に対応した筆記情報を前記メモリに保持するとともに、前記表示画像処理用情報生成回路で生成された前記表示画像処理用情報の前記メモリに保持された筆記情報に対する適用を制限するように構成された第２のモードとを備えていることを特徴とする手書き情報処理装置を提供する。
【発明の効果】
【００１０】
この発明による手書き情報処理装置によれば、用紙などのシート部材に視覚的に形成した筆記による筆記情報に対応して電子的に生成された筆記情報を用いて、手書き情報処理をすることができる。そして、メモリには、シート部材に視覚的に形成した筆記による筆記情報の表示画像に対して所定の画像操作処理を行うための表示画像処理用情報は適用されないように構成されているので、用紙などのシート部材に視覚的に形成した筆記による筆記情報に基づく図形と、筆記による筆記情報に対応して生成されてメモリに保持された電子的筆記情報に基づく図形との間には、意図的な画像操作処理が入り込むことがない、画像相似性が備わっているために、シート部材に第２のスタイラスにより視覚的に形成された筆記による描画画像と、メモリに保持されている筆記情報から形成される表示画像とは１対１に対応したものとなっており、使用者は、シート部材に筆記した描画像を下絵として手書き情報処理をすることができる。
【図面の簡単な説明】
【００１１】
【図１】この発明による手書き情報処理装置の実施形態の概要を説明するための図である。
【図２】この発明による手書き情報処理装置の実施形態の概要を説明するための図である。
【図３】この発明による手書き情報処理装置の実施形態の概要を説明するための図である。
【図４】この発明による手書き情報処理装置の実施形態における電子回路の構成例のブロック図である。
【図５】この発明による手書き情報処理装置の実施形態における電子回路の一部の構成例を示す図である。
【図６】この発明による手書き情報処理装置の実施形態における電子回路の他の一部の構成例を示す図である。
【図７】この発明による手書き情報処理装置の実施形態の出力信号フォーマットを説明するための図である。
【図８】この発明による手書き情報処理装置の実施形態の処理動作の流れの例を説明するためのフローチャートの一部を示す図である。
【図９】この発明による手書き情報処理装置の実施形態の処理動作の流れの例を説明するためのフローチャートの一部を示す図である。
【図１０】この発明による手書き情報処理装置の実施形態の処理動作の流れの例を説明するためのフローチャートを示す図である。
【図１１】この発明による手書き情報処理装置の実施形態の処理動作の流れの例を説明するためのフローチャートを示す図である。
【図１２】この発明による手書き情報処理装置の実施形態の処理動作の流れの例を説明するためのフローチャートを示す図である。
【図１３】この発明による手書き情報処理装置の実施形態の使用態様例を示す図である。
【図１４】この発明による手書き情報処理装置の実施形態の使用態様例を示す図である。
【図１５】この発明による手書き情報処理装置の実施形態の使用態様例を示す図である。
【図１６】この発明による手書き情報処理装置の実施形態の変形例を説明する他の図である。
【図１７】この発明による手書き情報処理装置の他の実施形態のシステム構成例を示す図である。
【図１８】この発明による手書き情報処理装置の他の実施形態の内部構成例を説明するための図である。
【図１９】この発明による手書き情報処理装置の他の実施形態の構成例を説明するための図である。
【図２０】この発明による手書き情報処理装置の他の実施形態の構成例を説明するための図である。
【図２１】この発明による手書き情報処理装置のさらに他の実施形態の概要を説明するための図である。
【図２２】この発明による手書き情報処理装置のさらに他の実施形態の概要を説明するための図である。
【図２３】図２２の例におけるクリップ部材の構成例を説明するための図である。
【図２４】図２２の例におけるクリップ部材の構成例を説明するための図である。
【図２５】この発明による手書き情報処理装置に装着されるクリップ部材の他の例を説明するための図である。
【図２６】この発明による手書き情報処理装置に装着されるクリップ部材の他の例を説明するための図である。
【発明を実施するための形態】
【００１２】
以下、この発明による手書き情報処理装置の実施形態を、図を参照しながら説明する。
【００１３】
図１は、この実施形態の手書き情報処理装置１０の外観を説明するための図であり、図１（Ａ）はその正面図、図１（Ｂ）はその左側面図である。この図１から理解されるように、手書き情報処理装置１０は、薄型の板状形状のタブレットの構成とされている。この手書き情報処理装置１０の筐体１１は、図１（Ｂ）に示すように、上側ケース１１ａと下側ケース１１ｂとからなり、下側ケース１１ｂの内部空間を上側ケース１１ａが覆うような状態で、下側ケース１１ｂに上側ケース１１ａが嵌合される構成とされている。
【００１４】
下側ケース１１ｂの内部空間には、この実施形態では、図３に示すように、スタイラス検出センサ１２と、タッチ検出センサ１３と、回路基板１４と、図３では図示を省略する操作ボタン群１５（図１参照）が収納されている。スタイラス検出センサ１２は、この例では、電磁誘導方式のセンサからなる。タッチ検出センサ１３は、この例では、静電容量方式のセンサからなる。なお、タッチ検出センサ１３と、操作ボタン群１５とは、この実施形態における操作入力受付部の例を構成する。
【００１５】
この実施形態では、筐体１１内には、図３に示すように、上側ケース１１ａ側からみたとき、タッチ検出センサ１３、スタイラス検出センサ１２、回路基板１４、の順に、互いに重畳するような状態で配設されている。この場合に、スタイラス検出センサ１２と、タッチ検出センサ１３とは、それらの検出領域が、上側ケース１１ａの表面に直交する方向から見たときに、重なるような状態で収納されている。
【００１６】
スタイラス検出センサ１２は、上側ケース１１ａを介してスタイラスの検出が可能であり、また、タッチ検出センサ１３は、上側ケース１１ａを介して指タッチの検出が可能とされており、上側ケース１１ａの表面が、これらスタイラス検出センサ１２及びタッチ検出センサ１３についての共通の入力面となる。そして、上側ケース１１ａの表面における、図１（Ａ）で点線で囲む領域が、スタイラス検出センサ１２及びタッチ検出センサ１３における共通の検出領域ＤＡとなる。
【００１７】
操作ボタン群１５は、この実施形態では、図１（Ａ）に示すように、筐体１１の左側部に設けられている。操作ボタン群１５は、この例では、９個の操作ボタンからなり、各操作ボタンの操作部１５Ａ、１５Ｂ、・・・、１５Ｈ及び１５Ｒが、上側ケース１１ａの、スタイラス検出センサ１２及びタッチ検出センサ１３における検出領域ＤＡの側方部において、外部に露出していて、使用者が操作可能とされている。この例においては、操作部１５Ａ〜１５Ｈは四角形の形状を有し、操作部１５Ｒは円形の形状を有している。上側ケース１１ａには、各操作ボタンの操作部１５Ａ、１５Ｂ、・・・、１５Ｈ及び１５Ｒが露出するようにするための透孔（図示は省略）が形成されている。
【００１８】
そして、この実施形態では、９個の操作ボタンは、各操作部１５Ａ〜１５Ｈ及び１５Ｒのそれぞれを使用者が指でタッチすると、静電容量方式でそのタッチを検出することできるように構成されている。また、操作部１５Ａ〜１５Ｈ及び１５Ｒのそれぞれは、使用者が指で押圧すると、手書き情報処理装置１０の筐体１１内の方向に撓む偏倚によって、当該筐体１１内に設けられているプッシュスイッチが押下操作されてスイッチ動作させることができるように構成されている。
【００１９】
操作ボタン群１５の各操作ボタンの操作部１５Ａ〜１５Ｈ及び１５Ｒのそれぞれのタッチ操作や押下操作は、手書き情報処理装置１０において、設定メニュー表示や、各種モードの切り替え、一つ前に戻る指示、表示装置の表示画面上における筆記情報に基づく表示画像の文字や絵の拡大、縮小、移動、回転、スクロールなどの機能に割り当てられている。使用者は、これらの操作部１５Ａ〜１５Ｈ及び１５Ｒを片手で操作しながら、スタイラスで検出領域ＤＡに入力操作をすることができる。
【００２０】
なお、操作部１５Ｒは、２種の操作部を備え、その一つはリング形状のホイール操作部１５Ｒａとされ、他は、ホイール操作部１５Ｒａの中央に設けられる押下操作部１５Ｒｂとされる。ホイール操作部１５Ｒａは、なぞり操作入力が可能なような構成されており、例えば筆記情報に基づく表示画像の回転などの指示入力をするために用いることができるように構成されている。
【００２１】
なお、この実施形態では、後述するように、クリップ部材１６により手書き情報処理装置１０の入力面に位置固定された用紙１７に対して、視認可能な筆記が行われるインクスタイラスで筆記を行うようにするときには、タッチ検出センサ１３における指タッチ検出は停止されると共に、操作ボタン群１５の内の、筆記情報の表示画像を変化させるなどの画像操作処理を行うための操作ボタンの操作は、無効とされている。ただし、用紙１７を交換する、つまり、ページ送り操作と、後述するペーパーモードにおける標準ペーパーモードとライブペーパーモードとの間での切替操作は、有効とされている。この例では、ページ送り操作は、操作部１５Ｒの押下操作部１５Ｒａで行われる。
【００２２】
回路基板１４には、後述の図５に示すように、スタイラス検出センサ１２用のスタイラス位置検出回路３１、タッチ検出センサ１３用のタッチ位置検出回路３２、操作ボタン群１５用の操作入力受付部を構成する操作入力インターフェース（インターフェースは図では、Ｉ／Ｆと記載）３３が配設されていると共に、手書き情報処理装置１０と外部装置との接続のためのＵＳＢインターフェース３４，無線通信回路３５と、メモリ３６と、全体を制御する制御回路１００などが配設されている。
【００２３】
そして、この実施形態の手書き情報処理装置１０に対しては、スタイラス検出センサ１２で、その指示位置入力の検出が可能なスタイラスとして、第１のスタイラスと、第２のスタイラスとの２種のスタイラスが用意されている。この例では、第１のスタイラスは、通常の電磁誘導方式用のスタイラス（以下、ノーマルスタイラスという）であり、第２のスタイラスは、芯体がボールペン機能や、シャープペンシルの機能を備えていて、その筆記跡を用紙などのシート部材に視覚的に形成可能である電磁誘導方式用のスタイラス（以下、インクスタイラスという）である。
【００２４】
したがって、この実施形態の手書き情報処理装置１０では、上側ケース１１ａの表面である入力面の検出領域ＤＡにシート部材の例である用紙を載置して、インクスタイラスにより、当該入力面の検出領域ＤＡで筆記操作することにより、用紙に、その筆記跡を視覚的に形成すると共に、その筆記跡に対応する筆記情報を、スタイラス検出センサ１２で検出して取得することが可能である。
【００２５】
この場合に、入力面上に載置している用紙が、入力面において動いてしまうと、用紙に形成されている筆記跡と、その筆記跡に対応する筆記情報とが１対１に対応しなくなってしまう。そこで、この実施形態の手書き情報処理装置１０では、用紙を入力面において弾性的に固定することができるようにするクリップ部材１６が、筐体１１に対して取り外し可能に付属されている。
【００２６】
図２は、このクリップ部材１６の構成例を説明するための図である。すなわち、図２（Ａ）は、クリップ部材１６の正面図、図２（Ｂ）は、クリップ部材１６の左側面図である。そして、図２（Ｃ）は、クリップ部材１６を、手書き情報処理装置１０の筐体１１に取り付けて用紙１７を弾性的に固定している状態を示している。
【００２７】
この例のクリップ部材１６は、図２（Ｂ）に示すように、断面がＵ字形状を備え、凹部１６１ａを備える取付用部１６１と、回動軸１６３を回動中心として回動可能の状態で、取付用部１６１に対して取り付けられている押え片１６２とからなる。回動軸１６３には、図示は省略するが、コイルバネが巻回されており、このコイルバネにより、押え片１６２の、取付用部１６１の凹部１６１ａの開口側の端部１６２ａは、常に、取付用部１６１側に弾性的に変位するように構成されている。
【００２８】
クリップ部材１６の取付用部１６１は、弾性を有する材料、例えば樹脂により構成されており、凹部１６１ａは、筐体１１の段差部の形状及び寸法に応じて形成されている。クリップ部材１６は、その取付用部１６１の凹部１６１ａ内に、手書き情報処理装置１０の筐体１１の段差部を収納するようにして、手書き情報処理装置１０の筐体１１の段差部に取り付けられる。クリップ部材１６の取付用部１６１の凹部１６１ａの幅は、筐体１１の段差部の厚さよりも僅かに小さく形成されており、当該取付用部１６１の弾性力により、筐体１１の段差部を凹部１６１ａで挟持するようにして、クリップ部材１６は、手書き情報処理装置１０の筐体１１の段差部に係止（固定）される。ただし、クリップ部材１６は、その取付用部１６１を、筐体１１の段差部から取り外すようにすることで、手書き情報処理装置１０から取り外すことが可能である。
【００２９】
図２（Ｃ）のようにクリップ部材１６が、手書き情報処理装置１０の筐体１１の段差部に固定された状態では、クリップ部材１６の押え片１６２の端部１６２ａは、筐体１１の上側ケース１１ａの表面を弾性的に押圧する状態となっている。この状態で、押え片１６２の端部１６２ａとは反対側を押下すると、押え片１６２は、回動軸１６３を中心として回動して、その端部１６２ａと筐体１１の上側ケース１１ａの表面との間に隙間を空けることができ、押え片１６２の端部１６２ａとは反対側の押下を解除すると、押え片１６２の端部１６２ａが筐体１１の上側ケース１１ａの表面を弾性的に押圧する状態に復帰する。
【００３０】
したがって、図２（Ｃ）に示すように、クリップ部材１６を筐体１１に取り付けた状態で、押え片１６２の端部１６２ａとは反対側を押下して、押え片１６２の端部１６２ａと筐体１１の上側ケース１１ａの表面との間に隙間を空け、その隙間に用紙１７の上端を挟んで、押え片１６２の端部１６２ａとは反対側の押下を解除することで、押え片１６２の端部１６２ａと、筐体１１の上側ケース１１ａの表面との間に、用紙１７が弾性的に挟持されて、用紙１７が動かないように位置固定される。この場合に、クリップ部材１６により位置固定される用紙１７は、１枚であっても、複数枚であってもよい。
【００３１】
＜この実施形態の手書き情報処理装置の電子回路の構成例＞
図４は、この実施形態の手書き情報処理装置１０の電子回路の構成例を示すブロック図である。この例では、この実施形態の手書き情報処理装置１０の電子回路は、コンピュータを備えて構成される制御回路１００を備える。そして、この制御回路１００に対する入力側の回路として、スタイラス検出センサ１２用の位置検出回路（以下、スタイラス位置検出回路という）３１と、タッチ検出センサ１３用の位置検出回路（以下、タッチ位置検出回路という）３２と、操作入力インターフェース３３とが接続される。また、この制御回路１００に対する出力側の回路として、ＵＳＢインターフェース３４と、無線通信回路３５と、メモリ３６とが接続される。
【００３２】
スタイラス位置検出回路３１には、スタイラス検出センサ１２が接続されている。スタイラス検出センサ１２は、電磁誘導方式のスタイラス検出センサであり、この例では、第１のスタイラスとしてのノーマルスタイラス及び第２のスタイラスとしてのインクスタイラスとの間での電磁誘導結合によるインタラクションにより、それらによる指示位置を検出し、その検出結果を、スタイラス位置検出回路３１に出力する。スタイラス位置検出回路３１では、スタイラス検出センサ１２の出力から、ノーマルスタイラスまたはインクスタイラスによる検出領域ＤＡにおける指示位置の座標を検出する。
【００３３】
また、この実施形態のノーマルスタイラス及びインクスタイラスは、芯体に印加される筆圧を検出する筆圧検出部と、それぞれのペン識別情報（以下、スタイラスＩＤという）の記憶部とを備え、検出された筆圧情報及び記憶されているペン識別情報とをスタイラス付加情報に含めて、スタイラス検出センサ１２に送出する。スタイラス位置検出回路３１では、検出したスタイラス付加情報から、筆圧情報やスタイラスＩＤを抽出する機能を有する。スタイラス位置検出回路３１は、検出した指示位置の座標情報と、スタイラス付加情報とを、制御回路１００に供給する。
【００３４】
制御回路１００は、後述するように、受け取った指示位置の座標情報から、出力する筆記情報を生成すると共に、受け取ったスタイラス付加情報から、出力するスタイラス付加情報を生成する。また、制御回路１００は、受け取ったスタイラス付加情報に含まれるスタイラスＩＤを判別して、スタイラス検出センサ１２で検出されているスタイラスが、ノーマルスタイラスか、インクスタイラスかを認識し、その認識結果に応じて、後述するように、モード切替を行うようにする。
【００３５】
＜＜スタイラス位置検出回路３１の回路構成例＞＞
図５は、スタイラス検出センサ１２及びスタイラス位置検出回路３１の回路構成例を、ノーマルスタイラスまたはインクスタイラスの回路構成例と共に示す図である。なお、ノーマルスタイラス及びインクスタイラスは、スタイラス検出センサ１２との電磁誘導結合によるインタラクションのための電子回路としては、ほぼ同様の回路構成を有しているものであり、図５では、その共通の回路構成部分を、スタイラス回路２００として示している。
【００３６】
図５に示すように、スタイラス回路２００においては、スタイラス検出センサ１２の後述するループコイル群と電磁誘導結合することによりスタイラス検出センサ１２とのインタラクションを行い、位置検出用信号を授受すると共に、筆圧検出部を通じて検出される筆圧情報やスタイラスＩＤなどの付加情報を、スタイラス検出センサ１２に送信するように構成される。
【００３７】
前述したように、ノーマルスタイラスまたはインクスタイラスにおいては、フェライトコアに巻回されたコイル２０１に対して、キャパシタ２０２が並列に接続されて並列共振回路２０３が構成される。そして、ペン制御回路２１０は、図５に示すように、当該スタイラス回路２００の全体を制御する。この例ではペン制御回路２１０はＩＣからなる。
【００３８】
そして、並列共振回路２０３にてスタイラス検出センサ１２から電磁結合により受信した交流信号が、キャパシタ２０９を介してペン制御回路２１０に供給されると共に、ダイオード２０５と整流電圧の蓄電用のキャパシタ２０６からなる整流回路２０７に供給されて整流され、キャパシタ２０８に蓄電される。そして、キャパシタ２０８の両端間に得られる整流出力電圧が、ペン制御回路２１０の電源電圧として供給される。
【００３９】
そして、共振回路２０３に並列に、スイッチ２０４が接続されている。このスイッチ２０４は、ペン制御回路２１０によりオン・オフ制御されるように構成されている。このスイッチ２０４がオフのときには、共振回路２０３によるスタイラス検出センサ１２からの信号に対する共振動作がなされる。しかし、スイッチ２０４がオンのときには、コイル２０１に並列に接続されているキャパシタ２０２が短絡されて、共振回路２０３によるスタイラス検出センサ１２からの信号に対する共振動作がオフとなる。
【００４０】
また、この実施形態で用いられるノーマルスタイラス及びインクスタイラスは、図示は省略するが、芯体に印加される筆圧を、例えば、容量可変キャパシタの静電容量Ｃｖとして検出する感圧素子からなる筆圧検出部を備えている。ペン制御回路２１０には、この筆圧検出部で構成される容量可変キャパシタＣＶが接続される。ペン制御回路２１０は、容量可変キャパシタＣＶの静電容量を測定し、その測定した容量可変キャパシタＣＶの静電容量の変化から筆圧の変化を検出し、スタイラスの芯体に筆圧が印加されたかどうかを検出すると共に、筆圧が印加されたことを検出したときには、その筆圧値を容量可変キャパシタＣＶの静電容量の値から算出するようにする。
【００４１】
そして、この実施形態では、ペン制御回路２１０は、算出した筆圧値をデジタル信号の筆圧データに変換し、当該筆圧データによってスイッチ２０４をオン・オフ制御することで、複数ビットの筆圧値のデジタル信号を、ＡＳＫ（Amplitude Shift Keying）信号あるいはＯＯＫ（On Off Keying）信号からなる付加情報の一部としてスタイラス検出センサ１２に送信する。
【００４２】
また、この例では、ペン制御回路２１０には、スタイラスＩＤを記憶するＩＤメモリ２１１が接続されている。そして、ペン制御回路２１０は、ＩＤメモリ２１１から読み出したスタイラスＩＤに応じてスイッチ２０４をオン・オフ制御することで、当該スタイラスＩＤを、ＡＳＫ信号あるいはＯＯＫ信号からなる付加情報の一部としてスタイラス検出センサ１２に送信する。
【００４３】
スタイラス検出センサ１２は、図５に示すように、この例では、Ｘ軸方向ループコイル群１２１と、Ｙ軸方向ループコイル群１２２とが積層されて形成されている。各ループコイル群１２１，１２２は、例えば、それぞれｎ本，ｍ本の矩形のループコイルからなっている。各ループコイル群１２１，１２２を構成する各ループコイルは、等間隔に並んで順次重なり合うように配置されている。
【００４４】
そして、位置検出回路３１には、Ｘ軸方向ループコイル群１２１及びＹ軸方向ループコイル群１２２が接続される選択回路３１１が設けられている。この選択回路３１１は、２つのループコイル群１２１，１２２のうちの一のループコイルを順次選択する。
【００４５】
さらに、スタイラス位置検出回路３１には、発振回路３１２と、電流ドライバ３１３と、切り替え接続回路３１４と、受信アンプ３１５と、検波回路３１６と、ローパスフィルタ３１７と、サンプルホールド回路３１８と、Ａ／Ｄ変換回路３１９と、処理制御回路３１０とが設けられている。処理制御回路３１０は、例えばマイクロコンピュータにより構成されている。
【００４６】
発振回路３１２から出力される交流信号の周波数ｆｏは、スタイラス回路２００の共振回路２０３の共振周波数と等しくなるように選定されている。この発振回路３１２からの交流信号は電流ドライバ３１３に供給される。電流ドライバ３１３は、発振回路３１２から供給された交流信号を電流に変換して切り替え接続回路３１４へ送出する。切り替え接続回路３１４は、処理制御回路３１０からの制御により、選択回路３１１によって選択されたループコイルが接続される接続先（送信側端子Ｔ、受信側端子Ｒ）を切り替える。この接続先のうち、送信側端子Ｔには電流ドライバ３１３が、受信側端子Ｒには受信アンプ３１５が、それぞれ接続されている。
【００４７】
電流ドライバ３１３は、処理制御回路３１０により制御される。処理制御回路３１０は、電流ドライバ３１３を制御して、発振回路３１２からの周波数ｆｏの発振信号の、スタイラス検出センサ１２のループコイルへの供給を制御して、ループコイルからのノーマルスタイラスやインクスタイラスへの信号送信を制御する。
【００４８】
選択回路３１１により選択されたループコイルに発生する誘導電圧は、選択回路３１１及び切り替え接続回路３１４を介して受信アンプ３１５に送られる。受信アンプ３１５は、ループコイルから供給された誘導電圧を増幅し、検波回路３１６へ送出する。
【００４９】
検波回路３１６は、ループコイルに発生した誘導電圧、すなわち受信信号を検波し、ローパスフィルタ３１７へ送出する。ローパスフィルタ３１７は、前述した周波数ｆｏより充分低い遮断周波数を有しており、検波回路３１６の出力信号を直流信号に変換してサンプルホールド回路３１８へ送出する。サンプルホールド回路３１８は、ローパスフィルタ３１７の出力信号の所定のタイミング、具体的には受信期間中の所定のタイミングにおける電圧値を保持し、Ａ／Ｄ（Analog to Digital）変換回路３１９へ送出する。Ａ／Ｄ変換回路３１９は、サンプルホールド回路３１８のアナログ出力をデジタル信号に変換し、処理制御回路３１０に出力する。
【００５０】
処理制御回路３１０は、選択回路３１１におけるループコイルの選択、切り替え接続回路３１４の切り替え、サンプルホールド回路３１８のタイミングを制御する。処理制御回路３１０は、Ａ／Ｄ変換回路３１９からの入力信号に基づき、Ｘ軸方向ループコイル群１２１及びＹ軸方向ループコイル群１２２から一定の送信継続時間をもって電磁誘導信号を送信させる。
【００５１】
Ｘ軸方向ループコイル群１２１及びＹ軸方向ループコイル群１２２の各ループコイルには、スタイラス回路２００の共振回路２０３から送信される電磁誘導信号によって誘導電圧が発生する。処理制御回路３１０は、この各ループコイルに発生した誘導電圧の電圧値のレベルに基づいてノーマルスタイラスまたはインクスタイラスによるＸ軸方向及びＹ軸方向の指示位置の座標値を算出する。
【００５２】
また、処理制御回路３１０は、電流ドライバ３１３に、送信信号を断続制御するための信号及び送信信号レベル制御のための信号を供給すると共に、ノーマルスタイラスまたはインクスタイラスからの筆圧データやスタイラスＩＤなどの付加情報の受信処理を行うようにする。処理制御回路３１０は、ノーマルスタイラスまたはインクスタイラスからの、例えばＡＳＫ信号からなる断続信号を、複数ビットのデジタル信号として検出して、筆圧データやスタイラスＩＤなどの付加情報を検出するようにする。そして、処理制御回路３１０は、ノーマルスタイラスまたはインクスタイラスによる指示位置の情報と、検出した筆圧データやスタイラスＩＤなどの付加情報を制御回路１００に出力する。
【００５３】
次に、図４に示すように、タッチ位置検出回路３２には、タッチ検出センサ１３が接続されている。タッチ検出センサ１３は、静電容量方式のタッチ検出センサであり、この例では、使用者の指による指示操作を、静電容量結合によるインタラクションにより検出し、その検出結果を、タッチ位置検出回路３２に出力する。タッチ位置検出回路３２では、タッチ検出センサ１３の出力から、検出領域ＤＡにおける指タッチによるジェスチャー操作に応じた座標情報を検出する。
【００５４】
このタッチ検出センサ１３におけるジェスチャー操作は、スタイラス検出センサ１２で検出されたスタイラスによる筆記操作に応じた筆記情報に基づく表示画像に対する所定の処理を指示する操作とされる。例えば、入力面の検出領域での指による円弧を描くジェスチャーは、筆記情報に基づく表示画像の回転指示操作とされ、２本の指により、その間隔を開いたり、閉じたりする操作は、表示画像の拡大、縮小の指示操作とされる。タッチ位置検出回路３２は、タッチ検出センサ１３で検出された指タッチの操作の軌跡の座標情報を制御回路１００に供給する。制御回路１００は、受け取った指タッチの操作の軌跡の座標情報から、表示画像処理用情報を生成する。
【００５５】
＜＜タッチ位置検出回路３２の回路構成例＞＞
図６を参照して、タッチ検出センサ１３およびタッチ位置検出回路３２の構成例を説明する。この例では、タッチ検出センサ１３は、複数の指を同時に検出するマルチタッチを検出するために、クロスポイント静電容量方式のセンサの構成とされている。
【００５６】
タッチ検出センサ１３は、Ｙ軸方向に形成された複数本の第１の電極１３Ｘと、Ｙ軸方向に直交するＸ軸方向に形成された複数本の第２の電極１３Ｙとからなる。第１の電極１３Ｘは、Ｘ軸方向に、所定間隔ずつ隔てて配置されている。また、第２の電極１３Ｙは、Ｙ軸方向に、所定間隔ずつ隔てて配置されている。
【００５７】
第１の電極１３Ｘと第２の電極１３Ｙとは、この例においては、基板の表面側及び裏面側に、互いに絶縁された状態で配設されている。第１の電極１３Ｘと第２の電極１３Ｙとは、基板の同じ一面側に形成することもできるが、その場合には、互いに直交する第１の電極１３Ｘと第２の電極１３Ｙとの交差点であるクロスポイントの領域においては、第１の電極１３Ｘと第２の電極１３Ｙとの間に絶縁材が配置されることで互いが電気的に絶縁される。
【００５８】
タッチ位置検出回路３２は、送信信号発生回路３２１、送信電極選択回路３２２、受信電極選択回路３２３、受信信号処理回路３２４、位置情報出力回路３２５、処理制御回路３２０を備えている。
【００５９】
この例では、タッチ位置検出回路３２は、処理制御回路３２０の制御に基づいて、所定の時間間隔、例えば１０ｍｓｅｃ毎に位置検出処理を離散的に実行することで、タッチ検出センサ１３上における指タッチによる複数の位置指示を個々に検出し、それぞれの位置検出結果を得るようにする。
【００６０】
送信信号発生回路３２１および送信電極選択回路３２２は、送信信号供給回路を構成し、受信電極選択回路３２３および受信信号処理回路３２４は、信号受信回路を構成する。そして、この例では、第１の電極１３Ｘは、受信電極とされると共に、第２の電極１３Ｙは、送信電極とされている。
【００６１】
送信信号発生回路３２１は、制御回路３２０の制御に従った所定のタイミングで、所定の送信信号を送信電極選択回路３２２に供給する。所定の送信信号としては、例えば直交拡散符号などを用いることができる（例えば、特開２００３−２２１５８号公報参照）。
【００６２】
送信電極選択回路３２２は、制御回路３２０の選択制御にしたがって、所定の第２の電極１３Ｙを選択する。送信電極選択回路３２２によって選択された第２の電極１３Ｙには、送信信号発生回路３２１からの送信信号が供給される。
【００６３】
受信電極選択回路３２３は、制御回路３２０の制御にしたがって、順次、第１の電極１３Ｘを選択し、選択した第１の電極１３Ｘからの受信信号を受信信号処理回路３２４に供給する。
【００６４】
受信信号処理回路３２４は、制御回路３２０による制御に基づいて、使用者が指でタッチ検出センサ１３上で位置指示入力をすることで生じる受信信号の信号変化を第１の電極１３Ｘで検出し、その検出出力を位置情報出力回路３２５に供給する。
【００６５】
位置情報出力回路３２５は、処理制御回路３２０による制御に基づいて、受信信号処理回路３２４の検出出力から、前記信号変化が生じた第１の電極１３Ｘと、そのときに送信信号が供給されている第２の電極１３Ｙとから、指によって指示された位置に対応した指示位置検出信号である座標出力を位置検出結果として生成して処理制御回路３２０に出力する。
【００６６】
処理制御回路３２０は、位置情報出力回路３２５からの位置検出結果の座標出力を受けて、指により指示された位置や、移動操作（ジェスチャー操作）を検出し、その検出結果を制御回路１００に供給する。
【００６７】
次に、図４に示すように、操作入力インターフェース３３には、操作ボタン群１５が接続されている。操作入力インターフェース３３は、操作ボタン群１５の内の使用者に操作された操作部を検出すると共に、その入力操作を検出し、その検出出力情報を制御回路１００に供給する。前述したように、操作ボタン群１５の各操作ボタンは、スタイラス検出センサ１２で検出されたスタイラスによる筆記操作に応じた筆記情報に基づく表示画像についての所定の処理用である。例えば、操作ボタン群１５における操作ボタンの操作により、表示画像の色や、スタイラスによる筆記の太さや、筆種、などの設定が可能であると共に、表示画像の移動、回転や、拡大、縮小の指示操作も可能となっている。制御回路１００は、操作入力インターフェース３３から受け取った操作入力の検出出力情報から、表示画像処理用情報を生成する。
【００６８】
次に、制御回路１００に対する出力側の回路について説明する。ＵＳＢ（Universal Sirial Bus）インターフェース３４には、ＵＳＢコネクタ３７が接続されている。例えばパーソナルコンピュータなどからなる外部装置に一方の端側が接続されているＵＳＢケーブルの他方の端部が、ＵＳＢコネクタ３７に接続されると、ＵＳＢインターフェース３４を通じて制御回路１００は、その接続を検知する。ＵＳＢケーブルを介して外部装置に接続されている状態では、手書き情報処理装置１０は、その外部装置から電源電圧の供給を受けることができる。
【００６９】
また、無線通信回路３５は、この例では、ブルートゥース（登録商標）規格の近距離無線通信回路により構成されている。したがって、手書き情報処理装置１０は、ブルートゥース（登録商標）規格の近距離無線通信回路を搭載している電子機器であれば、パーソナルコンピュータに限らず、スマートフォンなどの高機能携帯電話端末を、外部装置として接続することが可能である。
【００７０】
制御回路１００は、外部装置への出力情報の送出については、ＵＳＢコネクタ３７に接続されたＵＳＢケーブルを介した送出と、無線通信回路３５を通じた送出との両方が可能である。ただし、この実施形態では、制御回路１００は、ＵＳＢケーブルを通じて外部装置がＵＳＢコネクタ３７に接続されたことを検知したときには、ＵＳＢケーブルを通じた出力情報の送出を優先するようにする。
【００７１】
また、制御回路１００は、出力情報を、メモリ３６に蓄積する機能も備えている。
【００７２】
この実施形態の手書き情報処理装置１０は、第１のモードとしてのタブレットモードと、第２のモードとしてのペーパーモードとを備えている。
【００７３】
タブレットモードは、ＵＳＢケーブルあるいは無線通信回路３５を介して手書き情報処理装置１０と接続された外部装置の表示画面に、スタイラス検出センサ１２で検出した第１のスタイラスとしてのノーマルスタイラスによる筆記操作に応じた筆記情報に基づく表示画像を表示するモードである。このタブレットモードにおいては、タッチ検出センサ１３で検出された指タッチや、操作ボタン群１５を通じてなされた操作入力に応じて、外部装置の表示画面に表示された表示画像に対して、移動、回転、拡大、縮小などの所定の処理を施すことができる。
【００７４】
このタブレットモードにおいては、制御回路１００から外部装置に送出される情報の出力信号フォーマットは、図７（Ａ）に示すように、スタイラス検出センサ１２で検出された筆記情報と、スタイラス検出センサ１２を通じて制御回路１００で検出されるスタイラス付加情報と、表示画像処理用情報とからなる。表示画像処理用情報は、タッチ検出センサ１３で検出された指タッチに基づいて検出される操作情報や、操作ボタン群１５を通じてなされた操作入力の検出出力情報に基づいて生成される。
【００７５】
ペーパーモードは、クリップ部材１６により手書き情報処理装置１０の入力面に載置された用紙１７に、第２のスタイラスとしてのインクスタイラスにより筆記跡を形成することができると共に、その用紙１７に形成された筆記跡に対応する筆記情報を、スタイラス検出センサ１２で検出して、内蔵するメモリ３６に記憶したり、外部装置に送出したりするモードである。このペーパーモードでは、タッチ検出センサ１３で検出された指タッチや、操作ボタン群１５を通じてなされた操作入力による表示画像に対する所定の処理は無効とされる。したがって、内蔵するメモリ３６や外部装置に出力する情報には、タブレットモードにおける表示画像処理用情報は含まれないようにするなどの処理を行うことによって、表示画像処理用情報が筆記情報に適用されないように構成されている。
【００７６】
なお、ペーパーモードにおいては、操作ボタン群１５の操作ボタンの操作の全てが無効とされるのではなく、表示画像に対する所定の処理を行う操作入力が無効とされるものであり、操作ボタン群１５による特定の操作は有効となるように構成されている。すなわち、ペーパーモードにおいても、特定の操作、すなわち操作ボタン群１５の内の用紙１７のページ送り操作あるいは後述するペーパーモードの標準ペーパーモードとライブペーパーモードとの切り替え操作は有効となるように、操作ボタン群１５による所定のボタン操作入力に対応した情報は、メモリ３６に保持された筆記情報に対して適用可能に構成されている。用紙１７のページ送り操作は、クリップ部材１６により手書き情報処理装置１０の入力面に固定される用紙１７が替えられたときになされる操作である。
【００７７】
ペーパーモードにおける、制御回路１００から外部装置に送出される情報の出力信号フォーマットは、図７（Ｂ）に示すように、スタイラス検出センサ１２で検出された筆記情報と、スタイラス検出センサ１２を通じて制御回路１００で検出されるスタイラス付加情報とからなる。
【００７８】
そして、この実施形態においては、ペーパーモードには、図７（Ｂ）に示す出力信号フォーマットの筆記情報及びスタイラス付加情報を、内蔵するメモリ３６に記憶する標準ペーパーモードと、内蔵するメモリ３６には記憶すると共に外部装置に送出するライブペーパーモードとが設けられている。
【００７９】
制御回路１００は、スタイラス位置検出回路３１、タッチ位置検出回路３２、操作入力インターフェース３３から受け取った信号を処理する入力処理機能と、上述したタブレットモードとペーパーモードとのいずれのモードにするかを設定するモード設定機能と、設定したモードに応じて、入力処理及び出力処理を制御する機能を備える。また、制御回路１００は、出力側における外部機器の接続状況を判別して、出力情報を送出する経路を選択する機能も備える。
【００８０】
操作ボタン群１５のいずれかの操作ボタンをモード切替用として、その操作ボタンの操作により、タブレットモードとペーパーモードとを切り替えるように構成することもできるが、この実施形態では、タブレットモードとペーパーモードとを自動的に切り替える。すなわち、この実施形態では、スタイラスは、ノーマルスタイラスと、インクスタイラスの２種類が用いられる。そして、ペーパーモードでは、用紙１７に視覚的な筆記が可能なインクスタイラスが使用されることとなる。また、タブレットモードでは、用紙１７への筆記は必要ないので、ノーマルスタイラスが使用されることになる。そして、この実施形態では、ノーマルスタイラス及びインクスタイラスは、それぞれ固有のスタイラスＩＤを記憶部に記憶しており、付加情報としてスタイラス検出センサ１２に送出する構成である。
【００８１】
以上のことにかんがみ、この実施形態では、スタイラス検出センサ１２でノーマルスタイラスが検出されている状態は、手書き情報処理装置１０はタブレットモードとすべきとし、スタイラス検出センサ１２でインクスタイラスが検出されている状態は、手書き情報処理装置１０はペーパーモードとすべきとしている。そして、制御回路１００は、スタイラス検出センサ１２を通じて受け取るスタイラスＩＤが、ノーマルスタイラスのスタイラスＩＤか、インクスタイラスのスタイラスＩＤかを認識することで、いずれのモードとするかを設定するモード設定機能を備える。
【００８２】
なお、この実施形態では、ペーパーモードにおける標準ペーパーモードと、ライブペーパーモードとの切り替えは、操作ボタン群１５の内の所定の操作ボタンの操作により行うことができるように構成されている。
【００８３】
図４においては、制御回路１００の上記の機能を実現するための回路が、機能ブロックの構成として示している。これらの機能ブロックは、制御回路１００を構成するコンピュータが、ソフトウェアプログラムを実行することにより実現することが可能なものであり、ここでは、説明のために示している。なお、これらの機能ブロックを、ハードウェア回路で構成して、制御回路１００を構成することも勿論できる。
【００８４】
図４に示すように、この例では、制御回路１００は、筆記情報生成回路１０１と、スタイラス付加情報生成回路１０２と、スタイラス認識回路１０３と、表示画像処理用情報生成回路１０４と、操作入力判別回路１０５と、モード切替制御回路１０６とを、機能ブロックとして備える。
【００８５】
筆記情報生成回路１０１は、スタイラス位置検出回路３１からの座標情報から、ノーマルスタイラスまたはインクスタイラスによる入力面の検出領域ＤＡにおける筆記操作に応じた筆記情報を生成する。この例では、ノーマルスタイラスまたはインクスタイラスが、検出領域ＤＡの入力面に接触してから、検出領域ＤＡの入力面から離れるまでの一連の筆記操作を、１個のストロークとして、そのストローク単位の筆記情報を、例えばベクトルデータ形式のデータとして生成する。この場合に、ストロークのデータには、時刻情報が付加される。時刻情報は、例えば、ストロークの開始時（入力面への接触時）の時刻情報と、終了時（入力面から離れた時）の時刻情報とされる。この筆記情報生成回路１０１で生成された筆記情報は、モード切替制御回路１０６に供給される。
【００８６】
スタイラス付加情報生成回路１０２は、スタイラス位置検出回路３１から送られてくる筆圧情報やスタイラスＩＤを受け取り、それらを含むスタイラス付加情報を生成する。スタイラス付加情報生成回路１０２は、生成したスタイラス付加情報をモード切替制御回路１０６に供給する。
【００８７】
スタイラス認識回路１０３は、スタイラス位置検出回路３１から送られてくる出力の中からスタイラスＩＤを抽出し、その抽出したスタイラスＩＤがノーマルスタイラスのスタイラスＩＤか、インクスタイラスのスタイラスＩＤかを認識することで、入力面の検出領域ＤＡに近接したスタイラスが、ノーマルスタイラスか、インクスタイラスかを認識する。そして、スタイラス認識回路１０３は、その認識結果をモード切替制御回路１０６に供給する。
【００８８】
表示画像処理用情報生成回路１０４は、タッチ位置検出回路３２からの座標情報に基づいて、タッチ検出センサ１３における使用者の指によるジェスチャー操作を判別し、その判別結果から対応する表示画像処理用情報を生成する。
【００８９】
操作入力判別回路１０５は、操作入力インターフェース３３からの操作入力の検出出力情報を受けて、いずれの操作ボタンが操作され、どのような入力操作がなされたかを判別し、対応する操作判別結果情報を生成する。そして、操作入力判別回路１０５は、操作入力の検出出力情報が表示画像処理用であると場合には、生成した操作判別結果情報を表示画像処理用情報生成回路１０４に供給する。表示画像処理用情報生成回路１０４は、受け取った操作判別結果情報から、対応する表示画像処理用情報を生成して、モード切替制御回路１０６に供給する。
【００９０】
また、操作入力判別回路１０５は、操作入力の検出出力情報がページ送り操作あるいはペーパーモードの標準ペーパーモードとライブペーパーモードとの切り替え操作を示すものであると判別したときには、生成した操作判別結果情報をモード切替制御回路１０６に供給する。モード切替制御回路１０６は、受け取った操作判別結果情報から、ページ送り操作あるいはペーパーモードの標準ペーパーモードとライブペーパーモードとの切り替え操作を認識する。
【００９１】
モード切替制御回路１０６は、スタイラス認識回路１０３からの認識結果を受けて、タブレットモードとするか、ペーパーモードとするかを決定する。そして、モード切替制御回路１０６は、筆記情報生成回路１０１からの筆記情報と、スタイラス付加情報生成回路１０２からのスタイラス付加情報と、表示画像処理用情報生成回路１０４からの表示画像処理用情報とから、タブレットモードにおいては、図７（Ａ）に示した出力信号フォーマットの出力情報を生成し、また、ペーパーモードにおいては、図７（Ｂ）に示した出力信号フォーマットの出力情報を生成する。
【００９２】
また、モード切替制御回路１０６は、タブレットモードにおいては、ＵＳＢコネクタ３７に、ＵＳＢケーブルを通じて外部装置が接続されているか否かを検出し、接続されていれば、図７（Ａ）に示した出力信号フォーマットの出力情報を、ＵＳＢケーブルを通じて外部装置に送出する。このとき、出力情報は、タブレットモードの出力情報は、当該タブレットモード用の論理ポートから出力されるものとして外部装置に送信される。
【００９３】
そして、モード切替制御回路１０６は、タブレットモードにおいては、ＵＳＢケーブルを通じて外部装置が接続されてはいないと判別したときには、無線通信回路３５を通じて外部装置に、図７（Ａ）に示した出力信号フォーマットの出力情報を送信するようにする。この送信情報には、タブレットモードの送信信号であることを示す識別情報が付加される。
【００９４】
また、モード切替制御回路１０６は、ペーパーモードにおいては、ライブペーパーモードへの切替指示がなされたかどうか判別し、ライブペーパーモードへの切替指示がないと判別したときには、標準ペーパーモードとして、生成した図７（Ｂ）に示した出力信号フォーマットの出力情報を、メモリ３６に格納するようにする。
【００９５】
また、モード切替制御回路１０６は、ペーパーモードにおいては、ライブペーパーモードへの切替指示がなされたと判別したときには、ライブペーパーモードとして、ＵＳＢコネクタ３７に、ＵＳＢケーブルを通じて外部装置が接続されているか否かを検出し、接続されていれば、図７（Ｂ）に示した出力信号フォーマットの出力情報を、ＵＳＢケーブルを通じて外部装置に送出し、ＵＳＢケーブルを通じて外部装置が接続されてはいないと判別したときには、無線通信回路３５を通じて外部装置に、図７（Ｂ）に示した出力信号フォーマットの出力情報を送信する。ＵＳＢケーブルを通じて外部装置に送出する場合には、出力情報は、ペーパーモード用の論理ポートから出力されるものとして外部装置に送信される。また、無線送信される場合には、送信情報には、ペーパーモードの送信信号であることを示す識別情報が付加される。
【００９６】
また、更に、モード切替制御回路１０６は、この実施形態では、ペーパーモードにおいては、タッチ位置検出回路３２の動作を停止させるようにする停止制御信号を生成して、その停止制御信号をタッチ位置検出回路３２に送って、その動作を停止させるようにする。この場合に、併せてタッチ位置検出回路３２及びタッチ検出センサ１３への電源の供給を停止して、省電力化を図るようにしている。なお、モード切替制御回路１０６は、ペーパーモードにおいては、操作ボタン群１５の内、表示画像処理用の操作ボタンの操作があっても、それを無効とするように、それらの操作ボタンへの電源の供給を停止したり、操作入力インターフェース３３の対応するインターフェースの部分の動作停止及び電源の供給を停止したりするようにしてもよい。または、生成された操作情報が筆記情報に対して不適切に適用されないようにするための信号処理を行う。
【００９７】
＜＜制御回路１００における処理動作の例＞＞
以上のように構成されている制御回路１００の処理動作の例を、図８〜図１２のフローチャートを参照しながら説明する。
【００９８】
この実施形態の手書き情報処理装置１０においては、電源ボタン１５Ｐがオンとされていない状態で、図８のスタートから処理を開始する。この場合に、手書き情報処理装置１０は、図示は省略するが、充電可能なバッテリーからなる電源を備えており、制御回路１００の、電源ボタン１５Ｐの操作や、ＵＳＢケーブルの接続を監視するための部位には、常に電源電圧が供給されている。
【００９９】
図８に示すように、制御回路１００は、ＵＳＢケーブルを通じて外部装置が接続されたか否かを判別する（ステップＳ１０１）。このステップＳ１０１でＵＳＢケーブルを通じて外部装置が接続されたと判別したときには、ＵＳＢケーブルが充電専用であるか否かを判別し（ステップＳ１０２）、充電専用であると判別したときには、制御回路１００は、充電可能なバッテリーへの充電処理を行って（ステップ１０３）、処理をステップＳ１０１に戻す。
【０１００】
ステップＳ１０２でＵＳＢケーブルが充電専用ではなく、データ通信の機能を装備しているものであると判別したときには、制御回路１００は、手書き情報処理装置１０をタブレットモードとする（ステップＳ１０５）。このときには、ＵＳＢケーブルを通じてバッテリーへの充電処理を行ないながら、バッテリーを電源として用いる。
【０１０１】
このステップＳ１０５においては、入力側のスタイラス検出センサ１２及びスタイラス位置検出回路３１と、タッチ検出センサ１３及びタッチ位置検出回路３２と、操作ボタン群１５及び操作入力インターフェース３３の全てを動作状態とする。
【０１０２】
また、ステップＳ１０１でＵＳＢケーブルを通じて外部装置が接続されてはいないと判別したときには、制御回路１００は、電源ボタン１５Ｐがオン操作されたか否かを判別する（ステップＳ１０４）。このステップＳ１０４で、電源ボタン１５Ｐがオン操作されてはいないと判別したときには、制御回路１００は処理をステップＳ１０１に戻す。
【０１０３】
また、ステップＳ１０４で、電源ボタン１５Ｐがオン操作されたと判別したときには、制御回路１００は、ステップＳ１０５に進んで、手書き情報処理装置１０をタブレットモードとする。このときには、電源はバッテリーから受ける。
【０１０４】
次に、制御回路１００は、スタイラス位置検出回路３１から受け取った情報から、スタイラスＩＤを検知したか否かを判別する（ステップＳ１０６）。このステップＳ１０６でスタイラスＩＤを検知したと判別したときには、検知したスタイラスＩＤは、インクスタイラスのスタイラスＩＤであるか否かを判別する（ステップＳ１０７）。
【０１０５】
ステップＳ１０６で、スタイラスＩＤを検知していないと判別したとき、また、ステップＳ１０７で、検知したスタイラスＩＤは、インクスタイラスのスタイラスＩＤではなく、ノーマルスタイラスのスタイラスＩＤであると判別したときには、制御回路１００は、外部装置とＵＳＢケーブルを介して接続されているか否かを判別する（ステップＳ１０８）。
【０１０６】
ステップＳ１０８で、外部装置とはＵＳＢケーブルを介して接続されていると判別したときには、制御回路１００は、図７（Ａ）に示した出力信号フォーマットのタブレットモードの出力情報を生成し、ＵＳＢコネクタ３７に接続されているＵＳＢケーブルを通じて、生成した出力情報を外部装置に送信する（ステップＳ１０９）。
【０１０７】
次に、制御回路１００は、ＵＳＢケーブルがＵＳＢコネクタ３７から外されたか否かを判別し（ステップＳ１１０）、ＵＳＢケーブルが外されたと判別したときには、処理をステップＳ１０１に戻す。また、ステップＳ１１０で、ＵＳＢケーブルが外されてはいないと判別したときには、制御回路１００は、処理をステップＳ１０６に戻す。
【０１０８】
そして、ステップＳ１０８で、外部装置とＵＳＢケーブルを介して接続されてはおらず、無線通信回路３５により外部装置と接続されている判別したときには、制御回路１００は、図７（Ａ）に示した出力信号フォーマットのタブレットモードの出力情報を生成し、無線通信回路３５を通じて、生成した出力情報を外部装置に無線送信する（ステップＳ１１１）。
【０１０９】
次に、制御回路１００は、電源ボタン１５Ｐがオフ操作されたか否かを判別し（ステップＳ１１２）、電源ボタン１５Ｐがオフ操作されたと判別したときには、処理をステップＳ１０１に戻す。また、ステップＳ１１２で、電源ボタン１５Ｐがオフ操作されてはいないと判別したときには、制御回路１００は、処理をステップＳ１０６に戻す。
【０１１０】
ステップＳ１０７で、検知したスタイラスＩＤは、インクスタイラスのスタイラスＩＤであると判別したときには、制御回路１００は、手書き情報処理装置１０をペーパーモード（標準ペーパーモード）とする（図９のステップＳ１２１）。このステップＳ１２１においては、入力側におけるスタイラス検出センサ１２及びスタイラス位置検出回路３１は動作状態とするが、タッチ検出センサ１３は非動作状態とし、操作ボタン群１５及び操作入力インターフェース３３は、ページ送り操作と、標準ペーパーモードとライブペーパーモードとの切り替え操作以外の全ての操作が無効となるように、操作ボタン群１５及び操作入力インターフェース３３の操作入力に対応して生成された情報が選択的に適用されるようにすると共に、内蔵するメモリ３６を出力情報の送り先とする。
【０１１１】
そして、制御回路１００は、スタイラス位置検出回路３１から受け取った情報から、スタイラスＩＤを検知したか否かを判別する（ステップＳ１２２）。このステップＳ１２２でスタイラスＩＤを検知したと判別したときには、検知したスタイラスＩＤは、インクスタイラスのスタイラスＩＤであるか否かを判別する（ステップＳ１２３）。
【０１１２】
ステップＳ１２３で、検知したスタイラスＩＤは、インクスタイラスのスタイラスＩＤではなく、ノーマルスタイラスのスタイラスＩＤであると判別したときには、制御回路１００は、処理を図８のステップＳ１０５に戻し、このステップＳ１０５以降の処理を繰り返す。
【０１１３】
ステップＳ１２２で、スタイラスＩＤを検知していないと判別したとき、また、ステップＳ１２３で検知したスタイラスＩＤは、インクスタイラスのスタイラスＩＤであると判別したときには、制御回路１００は、ライブペーパーモードへの切替指示があったか否かを判別する（ステップＳ１２４）。
【０１１４】
ステップＳ１２４で、ライブペーパーモードへの切替指示はなかったと判別したときには、制御回路１００は、図７（Ｂ）に示した出力信号フォーマットのペーパーモード（標準ペーパーモード）の信号処理をして、内蔵するメモリ３６に出力情報を記憶する（ステップＳ１２５）。そして、制御回路１００は、処理をステップＳ１２２に戻し、このステップＳ１２２以降の処理を繰り返す。
【０１１５】
ステップＳ１２４で、ライブペーパーモードへの切替指示があったと判別したときには、制御回路１００は、外部装置とＵＳＢケーブルを介して接続されているか否かを判別する（ステップＳ１２６）。
【０１１６】
ステップＳ１２６で、外部装置とＵＳＢケーブルを介して接続されていると判別したときには、制御回路１００は、図７（Ｂ）に示した出力信号フォーマットのペーパーモードの出力情報を生成し、ＵＳＢコネクタ３７に接続されているＵＳＢケーブルを通じて、生成した出力情報を外部装置に送信すると共に、内蔵するメモリ３６に記憶する（ステップＳ１２７）。
【０１１７】
次に、制御回路１００は、ライブペーパーモードへの停止指示があったか否かを判別し（ステップＳ１２９）、ライブペーパーモードへの停止指示が無かったと判別したときには、処理をステップＳ１２７に戻す。また、ステップＳ１２９で、ライブペーパーモードへの停止指示があったと判別したときには、制御回路１００は、処理をステップＳ１２１に戻し、このステップＳ１２１以降の処理を繰り返す。
【０１１８】
また、ステップＳ１２６で、外部装置とＵＳＢケーブルを介して接続されてはおらず、無線通信回路３５により外部装置と接続されている判別したときには、制御回路１００は、図７（Ｂ）に示した出力信号フォーマットのペーパーモードの出力情報を生成し、無線通信回路３５を通じて、生成した出力情報を外部装置に無線送信すると共に、内蔵するメモリ３６に記憶する（ステップＳ１２８）。制御回路１００は、ステップＳ１２８での処理の後、ステップ１２９に進む。
【０１１９】
次に、図１０のフローチャートを参照して、図８のステップＳ１０９及びステップＳ１１１におけるタブレットモードでの信号処理について説明する。
【０１２０】
制御回路１００は、先ず、ペーパーモードでメモリ３６に記憶されている図７（Ｂ）の出力信号フォーマットの情報（以下、スケッチデータという）が存在するか否かを判別する（ステップＳ１３１）。このステップＳ１３１で、メモリ３６に記憶されているスケッチデータが存在すると判別したときには、メモリ３６に記憶されているスケッチデータを読み出して、ステップＳ１０９のときにはＵＳＢケーブルを介して、またはステップＳ１１１のときには無線通信回路３５を通じて、外部装置に送信する（ステップＳ１３２）。
【０１２１】
次に、制御回路１００は、スタイラス検出センサ１２及びスタイラス位置検出回路３１によるノーマルスタイラスによる筆記操作による筆記情報の検出処理を実行する（ステップＳ１３３）。ステップＳ１３１で、メモリ３６に記憶されているスケッチデータが存在しないと判別したときには、ステップＳ１３２の処理をバイパスして、ステップＳ１３３の処理を実行する。
【０１２２】
ステップＳ１３３の次には、制御回路１００は、タッチ検出センサ１３及びタッチ位置検出回路３２による指タッチ操作の検出処理を実行する（ステップＳ１３４）。次に、操作ボタン群１５の操作ボタンの操作入力の検出処理を実行する（ステップＳ１３５）。次に、制御回路１００は、ステップＳ１３３、ステップＳ１３４及びステップＳ１３５での検出処理結果に基づいて、図７（Ａ）に示したタブレットモードの出力信号を生成して、ステップＳ１０９のときにはＵＳＢケーブルを介して、またはステップＳ１１１のときには無線通信回路３５を通じて、外部装置に送信する（ステップＳ１３６）。
【０１２３】
次に、制御回路１００は、ＵＳＢケーブルが外されたり、電源ボタン１５Ｐのオフ操作や、スタイラスＩＤの検出結果に基づくモード切り替えに基づく終了イベントが発生したか否かを判別し（ステップＳ１３７）、終了イベントが発生していないと判別したときには、処理をステップＳ１３３に戻し、このステップＳ１３３以降の処理を繰り返す。そして、ステップＳ１３７で、終了イベントが発生したと判別したときには、制御回路１００は、この処理ルーチンを終了する。
【０１２４】
なお、図１０の処理ルーチンにおいて、ステップＳ１３３、ステップＳ１３４、ステップＳ１３５の検出処理の順番は、図１０の例に限られるものではなく、任意である。
【０１２５】
次に、図１１のフローチャートを参照して、図９のステップＳ１２５における標準ペーパーモードでの信号処理について説明する。
【０１２６】
制御回路１００は、先ず、スタイラス検出センサ１２及びスタイラス位置検出回路３１によるノーマルスタイラスによる筆記操作による筆記情報の検出処理を実行する（ステップＳ１４１）。次に、制御回路１００は、操作ボタン群１５の内のページ送り操作あるいは標準ペーパーモードとライブペーパーモードとの切り替え操作の検出処理を実行する（ステップＳ１４２）。
【０１２７】
次に、制御回路１００は、ステップＳ１４１及びステップＳ１４２での検出処理結果に基づいて、図７（Ｂ）に示したペーパーモードの出力信号を生成して、内蔵するメモリ３６に記憶する（ステップＳ１４３）。このペーパーモードの出力信号は、ページ番号が対応付けられて記憶されている。
【０１２８】
次に、制御回路１００は、ＵＳＢケーブルが外されたり、電源ボタン１５Ｐのオフ操作や、スタイラスＩＤの検出結果に基づくモード切り替えに基づく終了イベントが発生したか否かを判別し（ステップＳ１４４）、終了イベントが発生していないと判別したときには、処理をステップＳ１４１に戻し、このステップＳ１４１以降の処理を繰り返す。そして、ステップＳ１４４で、終了イベントが発生したと判別したときには、制御回路１００は、この処理ルーチンを終了する。
【０１２９】
なお、上述の例では、ステップＳ１４１及びステップＳ１４２の処理は、常に実行するようにしたが、ペーパーモードとの関係処理をするアプリケーションプログラムが別途用意されている場合には、そのアプリケーションプログラムが立ち上げられているときにのみ、ステップＳ１４１及びステップＳ１４２の処理を実行するようにしてもよい。
【０１３０】
次に、図１２のフローチャートを参照して、図９のステップＳ１２７またはステップＳ１２８におけるライブペーパーモードでの信号処理について説明する。
【０１３１】
制御回路１００は、先ず、スタイラス検出センサ１２及びスタイラス位置検出回路３１によるノーマルスタイラスによる筆記操作による筆記情報の検出処理を実行する（ステップＳ１５１）。次に、制御回路１００は、操作ボタン群１５の内のページ送り操作あるいは標準ペーパーモードとライブペーパーモードとの切り替え操作の検出処理を実行する（ステップＳ１５２）。
【０１３２】
次に、制御回路１００は、ステップＳ１５１及びステップＳ１５２での検出処理結果に基づいて、図７（Ｂ）に示したペーパーモードの出力信号を生成して、内蔵するメモリ３６に記憶すると共に、ステップＳ１０９のときにはＵＳＢケーブルを介して、またはステップＳ１１１のときには無線通信回路３５を通じて、外部装置に送信する（ステップＳ１５３）。このペーパーモードの出力信号は、ページ番号が対応付けられて記憶されている。
【０１３３】
次に、制御回路１００は、ＵＳＢケーブルが外されたり、電源ボタン１５Ｐのオフ操作や、スタイラスＩＤの検出結果に基づくモード切り替えに基づく終了イベントが発生したか否かを判別し（ステップＳ１５４）、終了イベントが発生していないと判別したときには、処理をステップＳ１５１に戻し、このステップＳ１５１以降の処理を繰り返す。そして、ステップＳ１５４で、終了イベントが発生したと判別したときには、制御回路１００は、この処理ルーチンを終了する。
【０１３４】
＜手書き情報処理装置１０の使用態様例＞
以上説明した実施形態の手書き情報処理装置１０の使用態様のいくつかの例を以下に説明する。
【０１３５】
＜＜第１の使用態様例＞＞
図１３は、外部装置として、表示装置５１がコンピュータ本体５２に接続されて構成されているパーソナルコンピュータ５０が用いられる場合の手書き情報処理装置１０の使用態様例である。パーソナルコンピュータ５０には、予め、手書き情報処理装置１０の出力信号を処理するためのアプリケーションプログラムがインストールされている。この場合に、パーソナルコンピュータ５０と手書き情報処理装置１０とは、ＵＳＢケーブル（全機能装備）５３を介して、あるいは無線通信により、接続される。
【０１３６】
この接続状態において、手書き情報処理装置１０の入力面の検出領域ＤＡに、ノーマルスタイラス４１を近づけると、手書き情報処理装置１０は、タブレットモードとなり、ノーマルスタイラス４１による筆記操作による筆記情報、スタイラス付加情報及び表示画像処理用情報とを含む図７（Ａ）の出力信号フォーマットの出力信号を、ＵＳＢケーブル５３を介して、あるいは無線通信により、パーソナルコンピュータ５０に送信する。
【０１３７】
パーソナルコンピュータ５０は、アプリケーションプログラムにより、表示装置５１の表示画面に、ノーマルスタイラス４１による筆記操作による筆記情報に基づく表示画像を表示すると共に、表示画像処理用情報により、表示画像の移動、回転、拡大、縮小などの画像操作処理を行う。
【０１３８】
このタブレットモードの状態から、図１３の下側に示すように、手書き情報処理装置１０にクリップ部材１６を装着して、このクリップ部材１６により用紙１７を入力面の検出領域ＤＡの上に装着すると共に、インクスタイラス４２を、検出領域ＤＡの近傍に近づけると、手書き情報処理装置１０は、標準ペーパーモードになる。そして、使用者が標準ペーパーモードからライブペーパーモードへの切替操作をすると、手書き情報処理装置１０は、ライブペーパーモードになる。
【０１３９】
このライブペーパーモードの状態で、使用者がインクスタイラス４２を用いて用紙１７に筆記操作をすると、用紙１７には、視覚的に認識できる筆記跡が形成される。このとき、手書き情報処理装置１０では、スタイラス検出センサ１２及びスタイラス位置検出回路３１で、インクスタイラス４２による筆記操作に対応する筆記情報が検出され、その検出された筆記情報と、スタイラス付加情報とを含む図７（Ｂ）の出力信号フォーマットの出力信号を生成し、内蔵するメモリ３６に記憶すると共に、ＵＳＢケーブル５３を介して、あるいは無線通信により、パーソナルコンピュータ５０に送信する。なお、図１３に示すように、インクスタイラス４２には、その芯体のボールペンやシャープペンシルのペン先を保護するためのキャップ４２ａが付属されている。
【０１４０】
パーソナルコンピュータ５０は、アプリケーションプログラムにより、表示装置５１の表示画面に、インクスタイラス４２による用紙１７における筆記跡を形成する筆記操作に対応する筆記情報に基づく表示画像を表示する。この場合に、ペーパーモードにおいては表示画像処理用情報は、パーソナルコンピュータ５０には送られないので、表示画面に表示される表示画像は、用紙１７における筆記跡と１対１に対応するものとなっている。
【０１４１】
このライブペーパーモードの状態から、クリップ部材１６及び用紙１７を外すと共に標準ペーパーモードに戻し、手書き情報処理装置１０から入力面の検出領域ＤＡに、ノーマルスタイラス４１を近づけると、手書き情報処理装置１０は、タブレットモードとなる。すると、メモリ３６にはライブペーパーモードで記憶された筆記情報及びスタイラス付加情報が記憶されているので、先ず、メモリ３６から、記憶されている筆記情報及びスタイラス付加情報を読み出して、ＵＳＢケーブル５３を介して、あるいは無線通信により、パーソナルコンピュータ５０に送信する。
【０１４２】
パーソナルコンピュータ５０は、受け取った筆記情報に基づく表示画像を生成して、表示装置５１の表示画面に表示する。この表示画像は、モード切替前にライブペーパーモードで表示されていたものと同一である。そして、この場合のメモリ３６に記憶されていた筆記情報は、タブレットモード用の論理ポートにより送信されるので、パーソナルコンピュータ５０のアプリケーションプログラムでは、タブレットモードの情報として取り扱われる。
【０１４３】
したがって、次に、使用者が、ノーマルスタイラス４１で、入力面の検出領域ＤＡで筆記操作を行うと、その筆記操作に応じた筆記情報がパーソナルコンピュータ５０に送られが、その筆記情報は、メモリ３６に記憶されていた筆記情報に引き続くものとしてパーソナルコンピュータ５０は、取り扱う。すなわち、メモリ３６に記憶されていた筆記情報に基づく表示画像を下図として、その下図を修正あるいは下図に筆記情報を追加することができる。
【０１４４】
なお、この実施形態では、ライブペーパーモードからタブレットモードへの切替は、標準ペーパーモードを経由するようにしたが、入力面の検出領域ＤＡに、ノーマルスタイラス４１を近づけたときには、ライブペーパーモードである手書き情報処理装置１０がタブレットモードに切り替えられるように構成してもよい。
【０１４５】
＜＜第２の使用態様例＞＞
図１４は、手書き情報処理装置１０の第２の使用態様の例を示すもので、この例は、手書き情報処理装置１０を外部装置とは接続することなく、例えば戸外等の外部に持ち出して使用する態様である。
【０１４６】
この図１４の使用態様の例では、手書き情報処理装置１０は、標準ペーパーモードで使用される。すなわち、この使用態様では、使用者は、手書き情報処理装置１０に、クリップ部材１６により用紙１７を固定して、例えば戸外に持ち出して、インクスタイラス４２を用いてその戸外のスケッチ等を行う。すると、手書き情報処理装置１０の内蔵メモリ３６には、その用紙１７に描かれた筆記跡に対応する筆記情報が記憶される。
【０１４７】
この図１４の使用態様でメモリ３６に筆記情報を記憶した後、手書き情報処理装置１０を、図１３に示したように、外部装置の例としてのパーソナルコンピュータ５０に接続し、ノーマルスタイラス４１を検出領域ＤＡに近づけると、手書き情報処理装置１０はタブレットモードになる。すると、メモリ３６に記憶されている筆記情報が読み出されて、パーソナルコンピュータ５０に送信され、図１３の使用態様で説明したのと同様にして、下図として使用することが可能な状態となる。
【０１４８】
この図１４の使用態様例によれば、戸外で用紙１７にインクスタイラス４２を用いて筆記した描画画像を、そのままタブレットモードで下図として用いることができ、非常に便利である。
【０１４９】
＜＜第３の使用態様例＞＞
図１５は、手書き情報処理装置１０の第３の使用態様の例を示すもので、この例は、手書き情報処理装置１０を外部装置とは接続することなく、例えば戸外等の外部に持ち出して使用する態様の、さらに他の使用態様である。
【０１５０】
この図１５の使用態様例においては、手書き情報処理装置１０は、図１４の使用態様例と同様にして、例えば戸外等の外部に持ち出されて使用されるが、図１４の使用態様例のように手書き情報処理装置１０を単独で用いるのではなく、図１５に示すように、手書き
情報処理装置１０に対して、外部装置の例としてスマートフォンと呼ばれる高機能携帯電話端末６１が接続される。この場合にも、手書き情報処理装置１０と高機能携帯電話端末６１とは、ＵＳＢケーブル６２で接続することもできるし、無線通信で接続することもできる。なお、高機能携帯電話端末６１には、図１３の使用態様例のパーソナルコンピュータ５０と同様に、予め、手書き情報処理装置１０の出力信号を処理するためのアプリケーションプログラムがインストールされている。
【０１５１】
この図１５の使用態様例においては、手書き情報処理装置１０は、ライブペーパーモードで使用される。そして、手書き情報処理装置１０は、ペーパーモードにおける出力信号フォーマットの筆記情報及びスタイラス付加情報を、内蔵するメモリ３６に記憶すると共に、高機能携帯電話端末６１に、ＵＳＢケーブル６２または無線通信にて送信する。高機能携帯電話端末６１では、その表示画面にライブペーパーモードでの筆記情報に基づく表示画像が表示される。
【０１５２】
そして、この図１５の使用態様例においても、図１３の例と同様に、手書き情報処理装置１０の入力面の検出領域ＤＡにノーマルスタイラスを近づけることで、手書き情報処理装置１０をタブレットモードとすることで、内蔵するメモリ３６に記憶されているペーパーモードの筆記情報及びスタイラス付加情報が高機能携帯電話端末６１に送信されて、タブレットモードの筆記処理をすることができる。
【０１５３】
この場合に、高機能携帯電話端末６１の表示画面に表示されているタブレットモードで作成された描画画像の情報は、高機能携帯電話端末６１に内蔵されるメモリに保持しておくようにしてもよいが、通信ネットワーク６３を通じて、所定のサーバ装置６４に記憶するようにすることもできる。つまり、描画画像をクラウドの記憶部に格納しておくようにすることができる。
【０１５４】
なお、上述の実施形態では、ライブペーパーモードにおいても内蔵するメモリ３６に筆記情報及びスタイラス付加情報を記憶するようにしたが、ライブペーパーモードにおける筆記情報及びスタイラス付加情報は、外部装置の記憶部に記憶するようにして、タブレットモードになった時に、その記憶されている情報を、タブレットモードの筆記情報として取り扱うように、アプリケーションプログラムを構成するようにしてもよい。その場合には、ライブペーパーモードでは、メモリ３６には、筆記情報及びスタイラス付加情報は記憶しておく必要はない。
【０１５５】
例えば、図１３の使用態様例では、パーソナルコンピュータ５０の記憶部に、手書き情報処理装置１０のライブペーパーモードにおける筆記情報及びスタイラス付加情報を記憶しておく。そして、タブレットモードになったら、手書き情報処理装置１０が、パーソナルコンピュータ５０の記憶部に記憶されている、ライブペーパーモードにおける筆記情報及びスタイラス付加情報を取得して、手書き情報処理装置１０の内蔵メモリ３６に記憶し、それを、タブレットモードの情報として、再度パーソナルコンピュータ５０に送信するように構成してもよい。あるいは、タブレットモードになったら、パーソナルコンピュータ５０の記憶部に記憶されている、ライブペーパーモードにおける筆記情報及びスタイラス付加情報を、手書き情報処理装置１０のタブレットモード用の情報とするようにして、それをタブレットモードにおける下図の情報として取り扱うように構成してもよい。
【０１５６】
なお、図１５の使用態様例の場合には、上述の図１３の使用態様例におけるパーソナルコンピュータ５０の内蔵メモリを、高機能携帯電話端末６１の内蔵メモリや、サーバ装置６４の記憶部とすることで、上述と同様にして、高機能携帯電話端末６１の内蔵メモリや、サーバ装置６４の記憶部に記憶されている、ライブペーパーモードにおける筆記情報及びスタイラス付加情報を、手書き情報処理装置１０のタブレットモード用の情報とするようにして、それをタブレットモードにおける下図の情報として取り扱うように構成してもよい。
【０１５７】
［他の実施形態またはその他の変形例］
なお、上述の実施形態では、スタイラス認識回路１０３は、ノーマルスタイラスのスタイラスＩＤか、インクスタイラスのスタイラスＩＤかを認識することで、いずれのスタイラスであるかを判別するようにした。しかし、上述の実施形態では、２種のスタイラスを用いることを前提としているので、ノーマルスタイラスのスタイラスＩＤか、インクスタイラスのスタイラスＩＤかのいずれか一方のみを認識できる機能を有するように構成してもよい。すなわち、例えばスタイラス認識回路１０３が、ノーマルスタイラスのスタイラスＩＤを認識する機能のみを備えている場合には、当該スタイラスＩＤを認識したときには、手書き情報処理装置１０をタブレットモードに切り替え、スタイラス認識回路１０３が、スタイラスＩＤがノーマルスタイラスＩＤ以外であると判別したときには、手書き情報処理装置１０をペーパーモードに切り替えるようにすることができる。
【０１５８】
また、上述の実施形態では、用紙１７を手書き情報処理装置１０の入力面上で動かないように固定するためにクリップ部材１６を用いるようにしたが、用紙１７を入力面上で動かないように固定する方法は、クリップ部材１６を用いる方法に限られるものではない。図１６は、用紙１７を手書き情報処理装置１０の入力面上で動かないように固定するための他の構成例の一例を示すもので、この例では、手書き情報処理装置１０の本体部に対して、カバー体を装着するようにする。
【０１５９】
この例の手書き情報処理装置１０Ａの入力面側から見た外観は、図１６（Ａ）に示すように、図１（Ａ）と同様であるが、裏側の構成が若干異なる。すなわち、この例の手書き情報処理装置１０Ａの側面図である図１６（Ｂ）に示すように、入力面とは反対側の裏側の上端及び下端には、段差部１１ｃ及び１１ｄが形成されている。
【０１６０】
そして、この例の手書き情報処理装置１０Ａには、図１６（Ｃ）及び（Ｄ）に示すカバー体７０が付属されている。図１６（Ｃ）は、カバー体７０を正面から見た図であり、図１６（Ｄ）は、図１６（Ｃ）におけるＡ−Ａ線断面図である。この図１６（Ｃ）に示すように、カバー体７０は、手書き情報処理装置１０Ａの入力面の全面を覆う面７１を備えると共に、図１６（Ｄ）に示すように、この面７１の上端部及び下端部には、手書き情報処理装置１０Ａの段差部１１ｃ、１１ｄに係合するように形成されている係合部７２及び７３が形成されている。
【０１６１】
カバー体７０は、手書き情報処理装置１０Ａの本体に対して、係合部７２及び７３が段差部１１ｃ、１１ｄに係合するような状態で、横方向からスライドさせるようにして、装着される。
【０１６２】
そして、カバー体７０の面７１には、当該カバー体７０を手書き情報処理装置１０Ａの入力面を覆うように装着したときに検出領域ＤＡに重なる領域には、用紙１７を収納するための凹部７４が形成されている。用紙１７は、この凹部７４に応じたサイズとされており、この凹部７４に収納したときには、入力面上で動かないように固定される。
【０１６３】
そして、この図１６の例では、カバー体７０の面７１は、操作ボタン群１５の内のペーパーモードでは使用されない操作ボタンの操作部を覆うように構成されている。すなわち、図１６（Ａ）に示すように、カバー体７０の面７１には、操作部１５Ｒの押下操作部１５Ｒｂが露呈する透孔７５が形成されているが、操作ボタン群１５のその他の操作ボタンの操作部を全て覆うように構成されている。
【０１６４】
したがって、この例では、ペーパーモードでは、カバー体７０が手書き情報処理装置１０Ａに装着されることで、操作ボタン群１５の内の無効とすべき操作部がカバー体７０により覆われて、操作ができなくなくされる。これにより、信号処理による操作無効処理とは異なり、ペーパーモードでの操作ボタン群１５における機構的方法による操作無効が実現される。
【０１６５】
なお、操作ボタン群１５の内の、筆記情報の表示画像を変化させるなどの画像操作処理を行うための操作ボタンの操作は、用紙１７を交換するページ送り操作と、ペーパーモードでの標準ペーパーモードとライブペーパーモードとの間での切替操作を除き、無効とされているが、操作ボタンによる操作の制限には、このように部分的に無効とする場合と、操作ボタンによる全ての操作を無効にする場合が含まれる。また、操作ボタンによる全ての操作を禁止するとともにタッチ検出センサ１３における所定のタッチ操作のみを有効としてもよい。
【０１６６】
また、ペーパーモードの設定は、手書き情報処理装置１０Ａの筐体１１へのクリップ部材１６の装着有無を検出することで、または手書き情報処理装置１０Ａへのカバー体７０の装着有無を検出することで行うこともできる。
【０１６７】
次に、上述の実施形態では、手書き情報処理装置は、筆記情報に基づく表示画像の生成処理機能は有さず、外部装置が筆記情報に基づく表示画像の生成処理を行うように構成した。しかし、手書き情報処理装置が、筆記情報に基づく表示画像の生成処理機能を備えるように構成してもよい。その場合の手書き情報処理装置１０Ｂは、図１７に示すように、ＵＳＢケーブル５３または無線通信により表示装置５１Ｂと接続して、生成した表示画像を表示装置５１Ｂに送信するようにする。
【０１６８】
さらに、この発明の手書き情報処理装置は、表示画面をも備える構成として、外部装置と接続することなくスタンドアローンの装置の構成としてもよい。その場合には、図１８に示すように、例えばＬＣＤ（Liquid  Crystal  Display；液晶ディスプレイ）からなる表示デバイス１８は、タッチ検出センサ１３とスタイラス検出センサ１２との間に、検出領域ＤＡと重なるように設けられる。
【０１６９】
次に、上述の実施形態では、表示画像処理用の操作入力部の例として、指タッチ操作を検出するタッチ検出センサを用いるものとし、このタッチ検出センサをスタイラス検出センサとは、別々のセンサとして構成するようにした。しかしながら、スタイラス検出センサを、静電容量方式のセンサを用い、この静電容量方式のセンサで、指タッチ検出と、スタイラス検出とを時分割で行うようにすることで、１個のセンサで構成することも可能である。
【０１７０】
図１９は、この静電容量方式のセンサと、そのセンサについての位置検出回路の概略構成例を説明するための図である。
【０１７１】
この実施形態の場合には、図１９に示すように、位置検出センサ４００と、位置検出回路５００とで構成されている。位置検出センサ４００は、タッチ検出センサ１３と同様に、Ｘ導体群４０１とＹ導体群４０２とが互いに直交する方向に交差したグリッド構成を備える。Ｙ導体群４０２は、横方向（Ｘ軸方向）に延在した複数のＹ導体４０２Ｙ１、４０２Ｙ２、…、４０２Ｙｎ（ｎは１以上の整数）を互いに所定間隔離して並列配置したものである。また、Ｘ導体群４０１は、Ｙ導体４０２Ｙ１、４０２Ｙ２、…、４０２Ｙｎに対して交差、この例では直交する縦方向（Ｙ軸方向）に延在した複数のＸ導体４０１Ｘ１、４０１Ｘ２、…、４０１Ｘｍ（ｍは１以上の整数）を互いに所定間隔離して並列配置したものである。
【０１７２】
位置検出センサ４００は、Ｘ導体とＹ導体を交差させて形成したセンサパターンを用いて、指ｆｇやアクティブ静電方式のスタイラス４３が指示する位置を検出する構成を備えている。アクティブ静電方式のスタイラス４３は、信号発生回路４３Ｓを備え、この信号発生回路４３Ｓからの信号を、位置検出センサ４００に送信する構成を備える。なお、この例においても、スタイラス４３としては、ノーマルスタイラスと、インクスタイラスとが用意されるのは、上述の実施形態と同様である。
【０１７３】
位置検出回路５００は、位置検出センサ４００との入出力インターフェースとなるマルチプレクサ５０１と、指タッチ／ペン検出回路５０２と、制御回路５０３とからなる。制御回路５０３は、位置検出回路５００の全体の動作を制御するためのもので、この例では、ＭＰＵ（microprocessor unit）で構成されている。この実施形態の位置検出回路５００は、指タッチの検出と、スタイラス４３などによるペンタッチの検出とを時分割で行うように制御する。すなわち、位置検出回路５００では、図２０に示すように、ペンタッチの検出を実行するペン検出期間ＰＰと、指タッチの検出を実行する指タッチ検出期間ＰＦとを交互に時分割で実行するようにしている。制御回路５０３は、マルチプレクサ５０１及び指タッチ／ペン検出回路５０２を、指タッチ検出期間ＰＦとペン検出期間ＰＰとで切替制御する。
【０１７４】
位置検出回路５００は、指タッチ検出期間では、Ｘ導体とＹ導体を交差させて形成したグリッド構成の位置検出センサ４００のセンサパターンのそれぞれの交点における静電容量が、指ｆｇがタッチされた位置で変化するので、その静電容量の変化を検出することにより指タッチの位置を検出するようにする。
【０１７５】
また、ペン検出期間ＰＰでは、位置検出センサ４００がスタイラス４３から送出された信号を検出し、位置検出回路５００に出力する。位置検出回路５００は、Ｘ導体群４０１及びＹ導体群４０２を構成するそれぞれの導体について、スタイラス４３から送出された信号のレベルを測定して、受信信号が高レベルとなっているＸ導体及びＹ導体のそれぞれを特定することで位置検出センサ４００の検出領域ＤＡでの指示位置を検出するようにする。また、位置検出回路５００は、スタイラス４３から送出される筆圧情報やスタイラスＩＤを検出する。
【０１７６】
この図１９及び図２０で説明した構成によれば、手書き情報処理装置の構成するセンサが一つになるので、構成がより簡単になるという効果がある。
【０１７７】
［手書き情報処理装置に装着されるクリップ部材の詳細構成例の説明］
クリップ部材のより詳細な構成例を、当該クリップ部材が装着される手書き情報処理装置とのサイズなどの関係も含めて、さらに説明する。
【０１７８】
図２１は、クリップ部材が装着される手書き情報処理装置１０Ｃの外観を説明するための図であり、図２１（Ａ）はその正面図、図２１（Ｂ）はその左側面図である。上述の実施形態の手書き情報処理装置１０と同一部分には、同一参照符号を付すこととする。手書き情報処理装置１０Ｃは、上述の手書き情報処理装置１０，１０Ａ，１０Ｂと同様に、筐体１１が薄型の板状形状の構成とされている。
【０１７９】
この例では、筐体１１の長辺方向（横方向）の長さＬは、例えばＬ＝３４ｃｍとされており、また、筐体１１の短辺（奥行き方向）の長さＤは、例えばＤ＝２２ｃｍとされている。そして、筐体１１の厚さｄは、例えばｄ＝１０ｍｍとされている。
【０１８０】
この手書き情報処理装置１０Ｃの筐体１１は、図２１（Ｂ）に示すように、上側ケース１１ａと下側ケース１１ｂとからなり、下側ケース１１ｂの内部空間を上側ケース１１ａが覆うような状態で、下側ケース１１ｂに上側ケース１１ａが嵌合される構成とされている。
【０１８１】
前述と同様に、この例の手書き情報処理装置１０Ｃの上側ケース１１ａの表面における、図２１（Ａ）で点線で囲む矩形領域が、スタイラス検出センサ及びタッチ検出センサにおける共通の検出領域ＤＡとなるが、この例の手書き情報処理装置１０Ｃにおいては、上側ケース１１ａの表面には、矩形の検出領域ＤＡの四隅の位置を示すマークＭＫａ，ＭＫｂ，ＭＫｃ，ＭＫｄが、例えば印刷により形成されている。
【０１８２】
なお、この矩形の検出領域ＤＡの四隅の位置を示すマークＭＫａ，ＭＫｂ，ＭＫｃ，ＭＫｄは、印刷により形成するのではなく、ＬＥＤ（Light Emitting Diode）により形成するようにしてもよい。
【０１８３】
図２２は、この例の手書き情報処理装置１０Ｃに装着されるクリップ部材１３０の構成例を説明するための図である。すなわち、図２２（Ａ）は、クリップ部材１３０の正面図、図２２（Ｂ）は、クリップ部材１３０の左側面図である。そして、図２２（Ｃ）は、クリップ部材１３０を、手書き情報処理装置１０Ｃの筐体１１に取り付けて用紙１７を弾性的に固定している状態を示している。この例では、図２２（Ｃ）に示すように、手書き情報処理装置１０Ｃの筐体１１の段差部１１ｃに装着されるようにされる。
【０１８４】
このクリップ部材１３０の長手方向（クリップ部材１３０の手書き情報処理装置１０Ｃへの取り付け方向と交差する方向）の長さＣｘは、手書き情報処理装置１０Ｃの横方向の長さよりも短いと共に、検出領域ＤＡの横方向の長さよりは長い長さとされており、この例では、Ｃｘ＝２３．５ｃｍとされている。なお、用紙１７の大きさは、検出領域ＤＡの大きさと等しいあるいは、若干大きいものとされている。また、クリップ部材１３０の長手方向の長さＣｘは、検出領域ＤＡの横方向の長さより長く、かつ、用紙１７の横方向の長さよりも長いものとされている。
【０１８５】
また、このクリップ部材１３０の奥行き方向（クリップ部材１３０の手書き情報処理装置１０Ｃへの取り付け方向）の長さＣｙは、検出領域ＤＡを覆うように載置される用紙１７を確実に固定することができる長さとされており、この例では、Ｃｙ＝４ｃｍとされている。なお、クリップ部材１３０の長手方向の長さＣｘは、図２２（Ｃ）の例では、用紙１７の長手方向の長さよりも長く選定されているが、用紙１７の長手方向の長さよりも短い長さであってもよい。
【０１８６】
この例のクリップ部材１３０は、図２２（Ｂ）に示すように、第１の部材の一例を構成する取付用部１３１と、第２の部材の一例を構成する押え片１３２とからなる。
【０１８７】
取付用部１３１は、互いに対向する、それぞれがわん曲形状を有する、第１の面部１３１ｂと第２の面部１３１ａとを備え、第１の面部１３１ｂと第２の面部１３１ａの一端側が連結部１３１ｆによって連結されると共に、他端側が開口とされていることで、断面がコ形状（Ｕ字形状）を有する凹部１３１ｃを備える。図２２（Ｂ）に示すように、第２の面部１３１ａのクリップ部材１３０の奥行き方向の長さは、前記長さＣｙと同一の長さとなるようにされているが、第１の面部１３１ｂの奥行き方向の長さは、前記長さＣｙよりも短い長さとされている。
【０１８８】
押え片１３２は、断面が曲線形状であって、若干わん曲した板状体からなり、この例では、クリップ部材１３０の長手方向（手書き情報処理装置１０Ｃへの取り付け方向に直交する方向）に配設されている２本の棒状部材からなる回動軸１３３Ａ及び１３３Ｂを回動中心として回動可能な状態とされて、取付用部１３１の第２の面部１３１ａ上に取り付けられている。回動軸１３３Ａ及び１３３Ｂには、付勢部材の例としてのコイルバネ１３７Ａ及び１３７Ｂが巻回されており、このコイルバネ１３７Ａ及び１３７Ｂにより、押え片１３２の、取付用部１３１の凹部１３１ｃの開口側の端部１３２ａは、常に、取付用部１３１側に弾性的に付勢されるように構成されている。
【０１８９】
この例においては、取付用部１３１と結合したときの押え片１３２の奥行き方向（クリップ部材１３０の手書き情報処理装置１０Ｃへの取り付け方向）の長さは、前記長さＣｙとほぼ等しくなるようにされている。押え片１３２の取付用部１３１の第１の面部１３１ｂと第２の面部１３１ａとの連結部１３１ｆの側の端部は、当該連結部１３１ｆの端面（外面）と同じ位置、あるいは、連結部１３１ｆの端面（外面）よりも、手書き情報処理装置１０Ｃの内方側となるようにされている。
【０１９０】
そして、取付用部１３１の第１の面部１３１ｂの奥行き方向の長さは、長さＣｙよりも短いため、押え片１３２の端部１３２ａは、取付用部１３１の第１の面部１３１ｂの開口側の端部１３１ｅよりも延出された延出部となる。
【０１９１】
そして、押え片１３２の端部１３２ａは、図２２（Ｂ）に示すように、取付用部１３１の第２の面部１３１ａの端部１３１ｄ側に対向する状態となる。つまり、押え片１３２の端部１３２ａは、取付用部１３１の第２の面部１３１ａの端部１３１ｄ側に対向する状態で、コイルバネ１３７Ａ及び１３７Ｂにより弾性的に付勢されるように構成されている。
【０１９２】
この押え片１３２の端部１３２ａの、取付用部１３１の第２の面部１３１ａの端部１３１ｄと対向する部分には、この例では、弾性部材、例えばゴム部材からなる滑り止め部材１３４（図２２（Ａ）及び図２２（Ｃ）の点線参照）が設けられている。
【０１９３】
図２３は、クリップ部材１３０を、押え片１３２の端部１３２ａ側とは反対側から見た図である。取付用部１３１の第１の面部１３１ｂの、押え片１３２との対向面側には、回動軸１３３Ａを貫通させる貫通孔（図示は省略）を有する２個の突起部１３６Ａａ及び１３６Ａｂが設けられていると共に、回動軸１３３Ｂを貫通させる貫通孔（図示は省略）を有する２個の突起部１３６Ｂａ及び１３６Ｂｂが設けられている。一方、押え片１３２の、取付用部１３１の第１の面部１３１ｂとの対向面側には、回動軸１３３Ａを貫通させる貫通孔（図示は省略）を有する２個の突起部１３５Ａａ及び１３５Ａｂが設けられていると共に、回動軸１３３Ｂを貫通させる貫通孔（図示は省略）を有する２個の突起部１３５Ｂａ及び１３５Ｂｂが設けられている。
【０１９４】
棒状部材からなる回動軸１３３Ａが、４個の突起１３５Ａａ及び１３５Ａｂ、１３６Ａａ及び１３６Ａｂを貫通させて取り付けられると共に、棒状部材からなる回動軸１３３Ｂが、４個の突起１３５Ｂａ及び１３５Ｂｂ、１３６Ｂａ及び１３６Ｂｂを貫通させて取り付けられることにより、取付用部１３１と押え片１３２とが結合される。
【０１９５】
そして、図２３に示すように、取付用部１３１の第１の面部１３１ｂの２個の突起部１３６Ａａと１３６Ａｂとの間における回動軸１３３Ａには、コイルバネ１３７Ａが、また、２個の突起部１３６Ｂａと１３６Ｂｂとの間における回動軸１３３Ｂには、コイルバネ１３７Ｂが、それぞれ嵌挿されて設けられている。このコイルバネ１３７Ａ及び１３７Ｂにより、押え片１３２の開口側の端部１３２ａ側が、常に、取付用部１３１の第１の面部１３１ｂ側に弾性的に変位するようにされている。なお、回動軸１３３Ａのクリップ部材１３０の横方向の端部側の一端１３３Ａａは、回動軸１３３Ａの軸径よりも大きい径の円盤状の形状を有するように構成されている。同様に、回動軸１３３Ｂのクリップ部材１３０の横方向の端部側の一端１３３Ｂａも、回動軸１３３Ｂの軸径よりも大きい径の円盤状の形状を有するように構成されている。
【０１９６】
クリップ部材１３０の取付用部１３１は、弾性を有する材料、例えば樹脂により構成されており、凹部１３１ｃは、筐体１１の段差部１１ｃの形状及び寸法に応じて形成されている。クリップ部材１３０は、図２４（Ａ）に示すように、その取付用部１３１の凹部１３１ｃ内に、手書き情報処理装置１０Ｃの筐体１１の段差部１１ｃを収納するようにして、手書き情報処理装置１０Ｃの筐体１１の段差部１１ｃに取り付けられる。クリップ部材１３０の取付用部１３１の凹部１３１ｃの幅は、筐体１１の段差部１１ｃの厚さよりも僅かに小さく形成されており、当該取付用部１３１の弾性力により、筐体１１の段差部１１ｃを凹部１３１ｃで挟持するようにして、クリップ部材１３０は、手書き情報処理装置１０Ｃの筐体１１の段差部１１ｃに係止（固定）される。ただし、クリップ部材１３０は、その取付用部１３１を、筐体１１の段差部１１ｃから取り外すようにすることで、手書き情報処理装置１０Ｃから取り外すことが可能である。
【０１９７】
図２２（Ｃ）及び図２４（Ａ）のようにクリップ部材１３０が、手書き情報処理装置１０Ｃの筐体１１の段差部１１ｃに固定された状態では、クリップ部材１３０の押え片１３２の端部１３２ａは、図２４（Ａ）に示すように、筐体１１の上側ケース１１ａの表面を弾性的に押圧する状態となっている。この状態で、押え片１３２の端部１３２ａとは反対側を押下すると、押え片１３２は、回動軸１３３を中心として回動して、その端部１３２ａと筐体１１の上側ケース１１ａの表面との間に隙間を空けることができ、押え片１３２の端部１３２ａとは反対側の押下を解除すると、押え片１３２の端部１３２ａが筐体１１の上側ケース１１ａの表面を弾性的に押圧する状態に復帰する。
【０１９８】
したがって、図２２（Ｃ）及び図２４（Ａ）に示すように、クリップ部材１３０を筐体１１に取り付けた状態で、押え片１３２の端部１３２ａとは反対側を押下して、押え片１３２の端部１３２ａと筐体１１の上側ケース１１ａの表面との間に隙間を空け、その隙間に用紙１７の上端を挟んで、押え片１３２の端部１３２ａとは反対側の押下を解除することで、押え片１３２の端部１３２ａと、筐体１１の上側ケース１１ａの表面との間に、用紙１７が弾性的に挟持されて、用紙１７が動かないように位置固定される。
【０１９９】
この際に、用紙１７を、筐体１１の上ケース１１ａの表面に装着して奥行き方向に移動させると、図２４（Ａ）に示すように、用紙１７の上端は、クリップ部材１３０の取付用部１３１の第１の面部１３１ｂの端部１３１ｅの端面に突き当たって、位置決めされる。
【０２００】
そして、この例においては、特に、押え片１３２の端部１３２ａに設けられている滑り止め部材１３４により、用紙１７は、より強く筐体１１の上側ケース１１ａの表面側に対して、弾性的に押圧されて、より動かないように位置固定される。
【０２０１】
滑り止め部材１３４は、この例では、ゴム部材からなるが、図２４（Ｂ）及び図２４（Ｂ）におけるＡ−Ａ線断面図である図２４（Ｃ）に示すように、当該クリップ部材１３０の手書き情報処理装置１０Ｃへの取り付け方向とは交差する方向に１または複数個の溝１３４Ｍが形成されており、この１または複数個の溝１３４Ｍにより用紙１７に対する滑り止め効果が大きくなる。
【０２０２】
なお、クリップ部材１３０により位置固定される用紙１７は、１枚であっても、複数枚であってもよい。
【０２０３】
なお、上述の実施形態のクリップ部材１３０は、手書き情報処理装置１０Ｃの筐体１１の段差部１１ｃに装着するようにしたが、筐体１１の下端部に装着するようにしてもよい。この実施形態の手書き情報処理装置１０Ｃの場合、図２１（Ａ）及び図２２（Ｃ）に示したように、検出領域ＤＡの上端位置から筐体１１の上端位置までの距離と、検出領域ＤＡの下端位置から筐体１１の下端位置までの距離とは、ほぼ等しく、クリップ部材１３０を筐体１１の下端部側に装着することに何等の問題もない。
【０２０４】
［クリップ部材の更に他の構成例］
上述の実施形態では、回動軸は２個に分けて構成したが、２個の回動軸１３３Ａと回動軸１３３Ｂとを連通させたようにした１個の回動軸で構成することもできる。そして、１個の回動軸とした場合には、付勢部材としてのコイルバネは、上述の実施形態のように２個としてもよいが、１個とすることもできる。
【０２０５】
図２５は、回動軸を１個とすると共に、付勢部材としてのコイルバネも１個としたクリップ部材１３０Ａの要部の構成例を示す図である。このクリップ部材１３０Ａにおいて、上述のクリップ部材１３０と同一の部分には、上述と同一の参照符号を付すこととする。なお、この図２５は、図２３と同様に、クリップ部材１３０Ａを、押え片１３２の端部１３２ａ側とは反対側から見た図である。
【０２０６】
この例のクリップ部材１３０Ａは、１個の棒状部材からなる回動軸１３３を用いる。この回動軸１３３の一方の端部１３３ａ及び他方の端部１３３ｂは、回動軸１３３の軸径よりも大きい径の円盤状形状に形成されている。
【０２０７】
そして、このクリップ部材１３０Ａの例においては、取付用部１３１の第１の面部１３１ｂの、押え片１３２との対向面側には、回動軸１３３を貫通させる貫通孔（図示は省略）を有する２個の突起部１３６ａ及び１３６ｂが設けられている。一方、押え片１３２の、取付用部１３１の第１の面部１３１ｂとの対向面側には、回動軸１３３を貫通させる貫通孔（図示は省略）を有する２個の突起部１３５ａ及び１３５ｂが設けられている。
【０２０８】
そして、棒状部材からなる回動軸１３３が、４個の突起１３５ａ及び１３５ｂ、１３６ａ及び１３６ｂを貫通させて取り付けられることにより、取付用部１３１と押え片１３２とが結合される。
【０２０９】
そして、図２５に示すように、取付用部１３１の第２の面部１３１ａの２個の突起部１３６ａと１３６ｂとの間における回動軸１３３には、コイルバネ１３７が嵌挿されて設けられている。このコイルバネ１３７により、押え片１３２の端部１３２ａ側が、常に、取付用部１３１の第１の面部１３１ｂ側に弾性的に変位するようにされている。
【０２１０】
［クリップ部材の筐体への取り付けの他の例］
上述の実施形態では、クリップ部材は、手書き情報処理装置１０Ｃの筐体１１の上端部あるいは下端部に着脱自在に取り付けるようにしたが、図２６に示すように、筐体１１の右側の側部に、着脱自在に取り付けるように構成することもできる。
【０２１１】
この場合のクリップ部材１３０Ｂは、当該クリップ部材１３０Ｂの手書き情報処理装置１０Ｃへの取り付け方向に交差（この例では直交）する方向の長さＣＢｙは、手書き情報処理装置１０Ｃの検出領域ＤＡの奥行き方向の長さよりも大きく、また、手書き情報処理装置１０Ｃの奥行き方向の長さＤ（図２１参照）と同等、或いは長さＤよりも短い長さとされている。手書き情報処理装置１０Ｃの筐体１１の入力面上に載置される用紙の大きさは、検出領域ＤＡと等しい大きさ、あるいはそれ以上の大きさとされるので、その用紙を確実に位置固定するためには、そのような寸法関係にすることが好ましいからである。ただし、クリップ部材１３０Ｂの長手方向の長さＣＢｙは、用紙を位置固定することができれば、検出領域ＤＡの奥行き方向の長さよりも短くかくても勿論よい。また、クリップ部材１３０Ｂの長手方向の長さＣＢｙは、好ましくは、筐体１１の奥行き方向の長さよりも短い方が良いが、長くても構わない。
【０２１２】
そして、クリップ部材１３０Ｂの筐体１１の横方向の長さＣＢｘは、手書き情報処理装置１０Ｃの筐体１１の入力面上に載置される用紙の右端部を確実に位置固定することできる長さであればよい。
【０２１３】
［その他の実施形態または変形例］
上述の例では、クリップ部材１３０及び１３０Ｂは、取付用部１３１の凹部１３１ｃ内に、手書き情報処理装置１０Ｃの筐体１１の段差部１１ｃを収納するようにして、手書き情報処理装置１０Ｃの筐体１１の段差部１１ｃに取り付けられ、押さ片（第２の部材）１３２の端部１３２ａで手書き情報処理装置１０Ｃに載置された用紙（シート部材）１７を挟持する構成であるが、用紙１７が載置された手書き情報処理装置１０Ｃを用紙１７とともに取付用部１３１の凹部１３１ｃ内に収納するようにすることで、用紙（シート部）１７を挟持する構成であっても良い。この場合には、押さ片（第２の部材）は必ずしも必要とはされない。
【０２１４】
上述の例では、シート状部材は用紙としたが、芯体がボールペン機能やシャープペンシルの機能を備えているインクスタイラスで筆記したときに、その筆記跡が視覚的に形成可能であるシート部材であれば、どのようなものであってもよい。
【符号の説明】
【０２１５】
１０…手書き情報処理装置、１１…筐体、１２…スタイラス検出センサ、１３…タッチ検出センサ、１４…回路基板、１５…操作ボタン群、１６，１３０…クリップ部材、３５…無線通信回路、３６…メモリ、３７…ＵＳＢコネクタ、４１…ノーマルスタイラス、４２…インクスタイラス、５０…パーソナルコンピュータ、５１…表示装置、１０３…スタイラス認識回路、１０４…表示画像処理用情報生成回路、ＤＡ…検出領域
【図１】
2018106683.tif 000003
【図２】
2018106683.tif 000004
【図３】
2018106683.tif 000005
【図４】
2018106683.tif 000006
【図５】
2018106683.tif 000007
【図６】
2018106683.tif 000008
【図７】
2018106683.tif 000009
【図８】
2018106683.tif 000010
【図９】
2018106683.tif 000011
【図１０】
2018106683.tif 000012
【図１１】
2018106683.tif 000013
【図１２】
2018106683.tif 000014
【図１３】
2018106683.tif 000015
【図１４】
2018106683.tif 000016
【図１５】
2018106683.tif 000017
【図１６】
2018106683.tif 000018
【図１７】
2018106683.tif 000019
【図１８】
2018106683.tif 000020
【図１９】
2018106683.tif 000021
【図２０】
2018106683.tif 000022
【図２１】
2018106683.tif 000023
【図２２】
2018106683.tif 000024
【図２３】
2018106683.tif 000025
【図２４】
2018106683.tif 000026
【図２５】
2018106683.tif 000027
【図２６】
2018106683.tif 000028